(57)【要約】【課題】ループ状バインダー内に、ページをマーキングするために取り付ける、効率的、安全、簡便なステッカーを提供すること。【解決手段】書籍に挿入するのに適したステッカーであって、ループ状バインダーに材料片を取り付けるためのアタッチメントとして機能し、(i)バインダーに取り外し可能に結合される取り外し可能な挿入部材201,202と、(ii)材料片に取り付けるための粘着性の本体200とを含む。【選択図】図１
2019217765.tif 000002
【特許請求の範囲】
【請求項１】
ループ状バインダーで結束された書籍に挿入するのに適したステッカーであって、(i)ループ状バインダーに取り外し可能に結合される取り外し可能な連結手段と、(ii)材料片に取り付けるための粘着性の本体とを備え、書籍のループ状バインダーに材料片を取り付けるためのアタッチメントとして機能し、前記取り外し可能な連結手段は以下の(A)、(B)および／または(C)で定義され、又は、前記本体が以下の(D)、(E)、(F)および／または(G)で定義されるとおりであり、(A)ステッカーの取り外し可能な連結手段が接着剤によって覆われていない、(B)取り外し可能な連結手段は細長く、ループ状バインダーに取り外し可能に結合することができるフィンガー部を備え、フィンガー部は本体の側面に平行に配置され、フィンガー部と本体との間に、ループ状バインダーを受容する間隙を形成し、(B1)フィンガー部の幅は1．5〜6mm、好ましくは1．5〜5mm、または2〜5mm、より好ましくは2〜4．5mm、または2〜4mm、またはさらにより好ましくは2．5〜4mm、または2．5〜3．5mm、または最も好ましくは約3mmであり、(B2)フィンガー部の長さは5〜30mm、または5〜25mm、または5〜20mm、5〜16mm、または5〜14mm、または5〜12mm、好ましくは7〜30mm、7〜25mm、7〜20mm、7〜16mm、7〜14mm、7〜12mmと、9〜30mmまたはより好ましくは9〜25mmまたは9〜20mmまたは9〜16mmまたは9〜14mmまたは9〜12mmであり、ここで、フィンガー部の長さは、(i)フィンガー部の先端から、(ii)フィンガー部と本体との間の間隙の最も奥側の部分まで、および／または(i)フィンガー部の先端から(ii)フィンガー部の基端、またはフィンガー部を本体に接続するステム部分の基端が本体から延在および／または突出する点までを、フィンガー部の長手方向軸に平行な方向、および／または本体の隣接する縁に平行な方向で測定され、および／または(C)取り外し可能な連結手段は細長く、ループ状バインダーに取り外し可能に結合することができるフィンガー部を含み、フィンガー部は本体の側面に平行に配置され、フィンガー部はステム部分を介して本体に接続され、ステム部分の外縁および／または細長い取り外し可能な連結手段の外縁(すなわち、フィンガー部と本体との間の間隙から離れて面する縁)はステム部分の基部において、本体から離れて(好ましくは概ね垂直に)延在してから、フィンガー部の先端に向かって湾曲し、(D)ステッカーの本体(特に、粘着体、または接着剤の添加前および／または接着剤を除く本体)は可撓性プラスチックシートの形態であり、0．3〜0．4mmの厚さを有するか、または好ましくは0．3〜0．35mmの厚さを有し、および／または(E)ステッカーの本体(特に、粘着性本体、より具体的には接着剤の添加前および／または接着剤を除外する本体)は(i)可撓性プラスチックシートの形態であり、及び(ii)約200〜350ミクロン以上、好ましくは300〜350ミクロン以上の厚さを有し、および／または0．15〜1mmまたは0．15〜0．7mmまたは0．15〜0．5mmの厚さを有するか、または好ましくは0．2〜1mmまたは0．2〜0．7mmまたは0．2〜0．5mmまたは0．2〜0．4mmの厚さを有するか、またはより好ましくは0．25〜1mmまたは0．25〜0．7mmまたは0．25〜0．5mmまたは0．25〜0．4mmの厚さを有するか、より好ましくは0．3〜1mmまたは0．3〜0．7mmまたは0．3〜0．5mmまたは0．3〜0．4mmの厚さを有するか、または最も好ましくは0．3〜0．35mmの厚さを有���、(E)において、ステッカーはPET（ポリエチレンテレフタレート)から作製され、および／またはステッカーはPETシートまたはフィルムの引裂抵抗(引裂強度、好ましくは初期引裂強度)と同等の(好ましくは実質的に同じ)引裂抵抗を有する可撓性プラスチックから作製され、および／または(F)ステッカー、および／またはステッカーの取り外し可能な連結手段、および／またはステッカーの本体は可撓性プラスチックでできており、ここで、可撓性プラスチックは以下の内、少なくとも一つを含む、(i)可撓性ポリエステルが可撓性ポリブチレンテレフタレート(PBT)、可撓性ポリトリメチレンテレフタレート(PTT)、可撓性ポリエチレンナフタレート(ポリエチレン2，6−ナフタレート又はPEN)、可撓性ポリヒドロキシアルカノエート(PHA)、可撓性ポリヒドロキシアルカノエート(PCL)、可撓性ポリ乳酸(PLA)、可撓性ポリグリコール酸(PGA)、可撓性ポリエチレンコハク酸(PESu)、可撓性ポリプロピレンコハク酸(PPSu)、可撓性ポリブチレンコハク酸(PBSu)、可撓性ポリアジピン酸エチレン(PEA)および／または可撓性ポリアジピン酸ブチレン(PBA)、および／または(vi)可撓性ポリアミド、好ましくは可撓性ナイロン、またはより好ましくは可撓性ナイロンであって、可撓性ナイロン6、可撓性ナイロン4、可撓性ナイロン6,6、可撓性ナイロン1,6、および/または可撓性ナイロン510を含む可撓性ナイロンと、および／または(vii)ポリマー(i)および／または(vi)の1つ以上の可撓性コポリマー、またはそれらを含有する可撓性コポリマーと、特に、可撓性ポリ3−ヒドロキシブチレート−co−3−ヒドロキシバレレート(PHBV)、可撓性ポリ3−ヒドロキシブチレート−co−3−ヒドロキシヘキサノエート(PHBH)、および／またはおよび／または可撓性ポリブチレンアジピン酸−co−テレフタレート(PBAT)、および／または(G)ステッカーの本体(特に、粘着性本体、または接着剤の添加前および／または接着剤を除く本体)はシート、好ましくは可撓性プラスチックシートの形態であり、(G)において、ステッカーの本体は、5〜70mmまたは5〜60mmまたは5〜50mmまたは5〜20mmまたは5〜15mmの高さを有し、および／または5〜70mmまたは5〜60mmまたは5〜50mmまたは5〜20mmまたは5〜15mmの幅を有し、また好ましくは、8〜70mm、または8〜60mm、または8〜50mm、または8〜40mm、または8〜20mm、または8〜15mmの高さを有し、および／または8〜70mm、または8〜60mm、または8〜50mm、または8〜40mm、または8〜20mm、または8〜15mmの幅を有し、さらに好ましくは、10〜70mm、または10〜60mm、または10〜50mm、または10〜40mm、または10〜20mm、または10〜15mmの高さ、および／または(好ましくは)10〜70mm、または10〜60mm、または10〜50mm、または10〜40mm、または10〜20mm、または10〜15mmの長さを有することを特徴とするステッカー。
【請求項２】
前記粘着性の本体は、シートおよび／または平板状の材料片を含む材料片に取り付けられる、請求項１に記載のステッカー。
【請求項３】
ステッカーの本体はシートの形態であり、および／または平板状であり、または好ましくはステッカーの本体が可撓性プラスチックまたは紙のシートなどの可撓性シートの形態であり、またはより好ましくはステッカーの本体が可撓性プラスチックシートの形態である請求項１または２に記載のステッカー。
【請求項４】
前記粘着性の本体は、少なくとも１つの面が接着剤によって少なくとも部分的に覆われている、請求項３に記載のステッカー。
【請求項５】
前記取り外し可能な連結手段は接着剤によって覆われていない、請求項１〜４のいずれかに記載のステッカー。
【請求項６】
本体の、接着剤が塗布または分布された少なくとも１つの面は、材料片を損傷することなく、材料片から除去可能である請求項４に記載のステッカー。
【請求項７】
本体の、接着剤が塗布または分布された少なくとも１つの面は、材料片から除去後に、材料片に再貼り付け可能である請求項６に記載のステッカー。
【請求項８】
前記接着剤が除去可能かつ再粘着可能な接着剤であり、および／または前記接着剤の塗布または分配パターンが前記除去可能性および再粘着性を達成する、請求項４〜７のいずれかに記載のステッカー。
【請求項９】
前記取り外し可能な連結手段が細長く、前記取り外し可能な連結手段と前記本体との間に間隙を形成し、前記間隙が前記書籍の前記ループ状バインダーを受け入れ可能であることを特徴とする請求項１〜８のいずれかに記載のステッカー。
【請求項１０】
前記取り外し可能な連結手段は、細長く、ループ状バインダーに取り外し可能に結合されるフィンガー部を含む、請求項１〜９のいずれかに記載のステッカー。
【請求項１１】
前記フィンガー部は前記本体および／または前記本体の側面に平行に配置され、前記フィンガー部はステム部分を介して前記本体に接続される、請求項１〜１０のいずれかに記載のステッカー。
【請求項１２】
取り外し可能な連結手段が本体と一体に形成される、請求項１〜１１のいずれかに記載のステッカー。
【請求項１３】
取り外し可能な連結手段は細長く、ループ状バインダーに取り外し可能に結合することができるフィンガー部を含み、フィンガー部は、本体および／または本体の側面に平行に配置され、ステム部分を介して本体に接続され、ステム部分の外縁および／または細長い取り外し可能な連結手段の外縁(すなわち、フィンガー部と本体との間に形成された隙間と逆側の縁)はステム部分の基部において、本体から離れて延在し、次いで、フィンガー部の先端に向かって湾曲する、請求項１〜１２のいずれかに記載のステッカー。
【請求項１４】
取り外し可能な連結手段は細長く、ループ状バインダーに取り外し可能に結合することができるフィンガー部を備え、前記間隙は書籍のループ状バインダーを受け入れ可能であり、(B1)フィンガー部の幅は1．5〜6mm、好ましくは1．5〜5mm、または2〜5mm、より好ましくは2〜4．5mm、または2〜4mm、またはさらにより好ましくは2．5〜4mm、または2．5〜3．5mm、または最も好ましくは約3mmであり、(B2)フィンガー部の長さは5〜30mm、または5〜25mm、または5〜20mm、5〜16mm、または5〜14mm、または5〜12mm、好ましくは7〜30mm、7〜25mm、7〜20mm、7〜16mm、7〜14mm、7〜12mmと、9〜30mmまたはより好ましくは9〜25mmまたは9〜20mmまたは9〜16mmまたは9〜14mmまたは9〜12mmであり、ここで、フィンガー部の長さは、(i)フィンガー部の先端から、(ii)フィンガー部と本体との間の間隙の最も奥側の部分まで、および／または(i)フィンガー部の先端から(ii)フィンガー部の基端、またはフィンガー部を本体に接続するステム部分の基端が本体から延在および／または突出する点までを、フィンガー部の長手方向軸に平行な方向、および／または本体の隣接する縁に平行な方向で測定される請求項１〜１３のいずれかに記載のステッカー。
【請求項１５】
取り外し可能な連結手段は、細長く、ループ状バインダーに取り外し可能に結合することができるフィンガー部を備え、フィンガー部は本体の側面に平行に配置され、フィンガー部と本体との間に、ループ状バインダーを受容する間隙を形成し、フィンガー部の幅は2〜5mm、より好ましくは2〜4．5mm、または2〜4mm、またはさらにより好ましくは2．5〜4mm、または2．5〜3．5mmであり、フィンガー部の長さは5〜25mm、5〜20mmまたは好ましくは7〜25mm、より好ましくは、7〜20mm、もっと好ましくは7〜16mm、最も好ましくは7〜14mmであり、ここで、フィンガー部の長さは、(i)フィンガー部の先端から、(ii)フィンガー部と本体との間の間隙の最も奥側の部分まで、および／または(i)フィンガー部の先端から(ii)フィンガー部の基端、またはフィンガー部を本体に接続するステム部分の基端が本体から延在および／または突出する点までを、フィンガー部の長手方向軸に平行な方向、および／または本体の隣接する縁に平行な方向で測定される請求項１〜１４のいずれかに記載のステッカー。
【請求項１６】
ステッカーの本体はシートの形態であり、ステッカーの本体は、5〜70mmの高さおよび／または5〜70mmの幅を有し、より好ましくは8〜70mmの高さおよび／または8〜70mmの幅を有し、さらにより好ましくは8〜50mmの高さおよび／または8〜50mmの幅を有し、さらにより好ましくは10〜40mmの高さおよび／または10〜40mmの幅を有する、請求項１〜１５のいずれかに記載のステッカー。
【請求項１７】
接着剤の添加前および／または接着剤を除外するステッカーの本体が、(i)可撓性プラスチックシートの形態であり、及び(ii)約200〜350ミクロン以上、好ましくは300〜350ミクロン以上の厚さを有し、および／または0．15〜1mmまたは0．15〜0．7mmまたは0．15〜0．5mmの厚さを有するか、または好ましくは0．2〜1mmまたは0．2〜0．7mmまたは0．2〜0．5mmまたは0．2〜0．4mmの厚さを有するか、またはより好ましくは0．25〜1mmまたは0．25〜0．7mmまたは0．25〜0．5mmまたは0．25〜0．4mmの厚さを有するか、より好ましくは0．3〜1mmまたは0．3〜0．7mmまたは0．3〜0．5mmまたは0．3〜0．4mmの厚さを有するか、最も好ましくは0．3〜0．35mmの厚さを有し、ステッカーはPET（ポリエチレンテレフタレート)から作製され、および／またはステッカーはPETシートまたはフィルムの引裂抵抗(引裂強度、好ましくは初期引裂強度)と同等の(好ましくは実質的に同じ)引裂抵抗を有する可撓性プラスチックから作製される請求項１〜１６のいずれかに記載のステッカー。
【請求項１８】
接着剤の添加前および／または接着剤を除外するステッカーの本体が、可撓性プラスチックシートの形態であり、0．3〜0．4mmの厚さを有するか、または好ましくは0．3〜0．35mmの厚さを有する請求項１〜１７のいずれかに記載のステッカー。
【請求項１９】
ステッカー、および／またはステッカーの取り外し可能な連結手段、および／またはステッカーの本体は可撓性プラスチックでできており、可撓性プラスチックは、(i)可撓性ポリエステルと、(ii)可撓性ポリ塩化ビニル(PVC)と、(iii)可撓性ポリプロピレン(PP)と、(iv)可撓性ポリエチレン(PE)と、および／または(v)可撓性アクリレートポリマー系プラスチックと、および／または(vi)可撓性ポリアミド（好ましくは可撓性ナイロン、より好ましくは可撓性ナイロン6、可撓性ナイロン4、可撓性ナイロン6，6、可撓性ナイロン1，6、および／または可撓性ナイロン510）、および／または(vii)ポリマー(i)(ii)(iii)(iv)(v)および／または(vi)のうちの1つ以上の可撓性コポリマー、またはそれらを含有する可撓性コポリマーと、特に、可撓性ポリプロピレン−ポリエチレンコポリマー(PP−PE)、可撓性エチレン−酢酸ビニル(EVA)コポリマー、可撓性ポリ3−ヒドロキシ酪酸−co−3−ヒドロキシ吉草酸(PHBV)、可撓性ポリ3−ヒドロキシ酪酸−co−3−ヒドロキシヘキサノエート(PHBH)、および／または可撓性ポリブチレンアジピン酸−co−テレフタレート(PBAT)の内、少なくとも一つを含む、請求項１〜１８のいずれかに記載のステッカー。
【請求項２０】
ステッカー、および／またはステッカーの取り外し可能な連結手段、および／またはステッカーの本体は可撓性プラスチックでできており、可撓性プラスチックは、(i)可撓性ポリエチレンテレフタレート(PET)と可撓性ポリブチレンテレフタレート(PBT)、可撓性ポリトリメチレンテレフタレート(PTT)、可撓性ポリエチレンナフタレート(PEN)、可撓性ポリヒドロキシアルカノエート(PHA)、可撓性ポリヒドロキシアルカノエート(PCL)、可撓性ポリ乳酸(PLA)、可撓性ポリグリコール酸(PGA)、可撓性ポリエチレンコハク酸(PESu)、可撓性ポリプロピレンコハク酸(PPSu)、可撓性ポリブチレンコハク酸(PBSu)、可撓性ポリアジピン酸エチレン(PEA)、および／または可撓性ポリアジピン酸ブチレン(PBA)からなり、(ii)可撓性ポリ塩化ビニル(PVC)(好ましくは、可塑剤を含むPVC)と、(iii)可撓性ポリプロピレン(PP)と、(iv)可撓性ポリエチレン(PE)であって、可撓性高密度ポリエチレン(HDPE、0．941g／cm3以上の密度で定義される)と、可撓性中密度ポリエチレン(MDPE、0．926〜0．940g／cm3の密度で定義される）と、可撓性低密度ポリエチレン(典型的には0．910〜0．940g／cm3の密度で定義される）と、可撓性線状低密度ポリエチレン(LLDPE、実質的に線状のポリエチレン、および／または0．915〜0．925g／cm3の密度範囲によって定義される)および／または可撓性超低密度ポリエチレン(VLDPE、0．880〜0．915g／cm3の密度範囲によって定義される)と、いくつかのC1−C8アルキル分枝を含む実質的に直鎖のポリマーと、(v)可撓性ポリアクリル酸系プラスチック、可撓性ポリメチルアクリレートプラスチック、可撓性ポリエチルアクリレートプラスチック、可撓性ポリメタクリレートプラスチック、および／または可撓性ポリメチルメタクリレートプラスチックを含む可撓性アクリレートポリマー系プラスチックと、および／または(vi)可撓性ナイロン、好ましくは可撓性ナイロン6、可撓性ナイロン4、可撓性ナイロン6，6、可撓性ナイロン1，6、および／または可撓性ナイロン510と、(vii)可撓性ポリプロピレン−ポリエチレンコポリマー(PP−PE)、可撓性エチレン−酢酸ビニル(EVA)コポリマー、可撓性ポリ3−ヒドロキシブチレート−co−3−ヒドロキシバレレート(PHBV)、可撓性ポリ3−ヒドロキシブチレート−co−3−ヒドロキシヘキサノエート(PHBH)、および／または可撓性ポリブチレンアジピン酸−co−テレフタレート(PBAT)の内、少なくとも一つを含む、請求項１〜１９のいずれかに記載のステッカー。
【請求項２１】
請求項１〜２０のいずれかに記載のステッカーの製造方法であって、
(i)ステッカー材料のシートを形成する工程と、
(ii)任意選択で、ステッカー材料のシートの第１の面上のいくつかの領域をマスキングする工程と、
(iii)ステッカー材料のシートに接着剤を塗布する方法によって、および／またはステッカー材料のシートをマスキングすることによって、製造されたステッカーに含まれる取り外し可能な連結手段を形成するステッカー材料のシートの領域が、接着剤によって実質的に覆われず、製造されたステッカーに含まれる粘着性本体を形成するステッカー材料のシートの領域が接着剤によって実質的に覆われるように、ステッカー材料のシートの第１の面に接着剤を塗布する工程と、
(iv)任意選択で、接着剤を少なくとも部分的に乾燥させる工程と、
(v)乾燥工程(iv)の前または後のいずれかに、存在する場合にはマスキングを任意に除去する工程と、
(vi)任意のマスキング除去工程(v)の前または後のいずれかで、シール材料のシートを、請求項１〜２０のいずれかに規定される複数のシールに切断(好ましくは打ち抜き)する工程と
(vii)任意選択で、ステッカーを裏打ちシート上に配置する工程と、
を含むステッカーの製造方法。
【請求項２２】
請求項１〜２０のいずれかに記載のステッカーをループ状バインダーに取り付ける(好ましくは取り外し可能に取り付ける)方法であって、ループ状バインダーに取り外し可能な連結手段を挿入し、粘着性の本体を材料片に取り付ける(好ましくは取り外し可能に取り付ける)、ステッカーの取り付け方法。
【請求項２３】
ステップ(i)および(ii)を任意の順序で含み[好ましくはステップ(ii)がステップ(i)の前に行われる]、
(i)請求項１〜２０のいずれかに記載の２つのステッカーを、ループ状バインダーに取り外し可能な連結手段を挿入することによって、ループ状バインダーに取り付ける(好ましくは取り外し可能に取り付ける)、
(ii)２つのステッカーを、各々の粘着性本体の接着剤で少なくとも部分的に覆われた少なくとも１つの面を介して、１つまたは複数の材料片に取り付ける(好ましくは取り外し可能に取り付ける)、
(a)２つのステッカーは、ループ状バインダーおよび材料片に取り付けられたときに、２つのステッカーのそれぞれの細長い取り外し可能な連結手段および／またはフィンガー部が互いに同じ方向に、好ましくはループ状バインダーの中心軸および／または長手方向軸にほぼ沿った向きに方向付けられる(延在する)ように成形され、接着剤で覆われ、配置される、
あるいは、
(b)２つのステッカーは、ループ状バインダーおよび材料片に取り付けられるとき、２つのステッカーのそれぞれの細長い取り外し可能な連結手段および／またはフィンガー部が互いに向かって(すなわち、両方とも、互いに対して反対方向に向けられ)、好ましくはループ状バインダーの中心軸および／または長手方向軸に沿った方向に向けられ、接着剤で覆われ、配置される、
請求項２２に記載のステッカーの取り付け方法。
【請求項２４】
請求項１〜２０のいずれかに記載のステッカーを複数含むメモパッド。
【請求項２５】
複数のステッカーは、重なり合わずに取り外し可能に結合され、(i)ループ状バインダーに取り外し可能に結合される取り外し可能な連結手段と、及び(ii)材料片に取り付けるための粘着性の本体とを含み、ループ状バインダーに材料片を取り付けるためのアタッチメントとして機能する、請求項２４に記載のメモパッド。
【請求項２６】
前記複数のステッカーが、裏打ちシートと取り外し可能に接触している、請求項２５に記載のメモパッド。
【請求項２７】
前記裏打ちシートがプラスチックおよび／または紙の裏打ちシートであるか、または好ましくは、プラスチックおよび／または滑らかにコーティングされた紙の裏打ちシートで請求項２６に記載のメモパッド。
【請求項２８】
前記複数のステッカーにおいて、前記取り外し可能な連結手段は、細長く、前記ループ状バインダーに取り外し可能に結合されるフィンガー部を含む、請求項２５〜２７のいずれかに記載のメモパッド。
【請求項２９】
前記複数のステッカーは、請求項１〜２０のいずれかに記載されたステッカーである、請求項２５〜２８のいずれかに記載のメモパッド。
【請求項３０】
２つまたはそれ以上の請求項１〜２０のいずれかに記載のステッカー(好ましくは２つのステッカー)の組合せであって、前記ステッカーは、その粘着性本体を介して材料片に取り付けられ、取り外し可能な連結手段を介してループ状バインダーに取り付けられる、ステッカーの組み合せ。
【請求項３１】
２つまたはそれ以上の請求項１〜２０のいずれかに記載のステッカー(好ましくは２つのステッカー)の組合せであって、前記ステッカーは、その粘着性本体を介して材料片に取り付けられ、任意選択で、取り外し可能な連結手段を介してループ状バインダーに取り付けられる、ステッカーの組み合せ。
【請求項３２】
(a)２つのステッカーは、ループ状バインダーおよび材料片に取り付けられたときに、２つのステッカーのそれぞれの細長い取り外し可能な連結手段および／またはフィンガー部が互いに同じ方向に、好ましくはループ状バインダーの中心軸および／または長手方向軸にほぼ沿った向に方向付けられる(延在する)ように成形され、接着剤で覆われ、配置される、
あるいは、
(b)２つのステッカーは、ループ状バインダーおよび材料片に取り付けられるとき、２つのステッカーのそれぞれの細長い取り外し可能な連結手段および／またはフィンガー部が互いに向かって(すなわち、両方とも、互いに対して反対方向に向けられ)、好ましくはループ状バインダーの中心軸および／または長手方向軸に沿った方向に向けられ、接着剤で覆われ、配置される、
請求項３０または３１に記載のステッカーの組み合せ。
【請求項３３】
材料片が紙片、封筒および／またはプラスチックシートを含む、請求項１〜２０のいずれかに記載のステッカー。
【請求項３４】
ループ状バインダー(好ましくは螺旋またはリング状バインダー)と共に使用し、および／またはブックマークとして機能するブックインサートであって、本体(好ましくは長形の本体)と、ループ状バインダーに取り外し可能に結合される第１および第２の取り外し可能な連結手段とを備え、第１の取り外し可能な連結手段が、本体の上部および／または上部に、またはそれに隣接して本体の側縁とほぼ平行な方向に延在および／または突出し、(i)本体と(ii)第１の取り外し可能な連結手段との間に第１の間隙を形成し、(i)本体と、(ii)第１の取り外し可能な連結手段との間に第１の間隙を形成し、第１の間隙はループ状バインダーを受容するように寸法決めされ、第２の取り外し可能な連結手段は本体の下部から、本体の側縁にほぼ平行な方向に延在および／または突出し、(i)本体と、(ii)第2の取り外し可能な連結手段との間に第２の間隙を形成し、第２の間隙はループ状バインダーを受容する寸法を有し、前記第１の取り外し可能な連結手段は、以下の(J)で定義され、および／または第２の取り外し可能な連結手段が以下の(K)で定義され、ブックインサートは以下の(L)および／または(M)で定義されるとおりであり、
(J)第１の取り外し可能な連結手段は、細長く、ループ状バインダーに取り外し可能に結合される第１のフィンガー部を含み、第１のフィンガー部は本体および／または本体の側面(特に隣接する側面)にほぼ平行に配列され、第１のフィンガー部と本体との間に第１の間隙を形成し、第１の間隙はループ状バインダーを受容可能であり、(J1)第１のフィンガー部は1．5〜6mm、好ましくは1．5〜5mm、または2〜5mm、より好ましくは2〜4．5mm、または2〜4mm、さらに好ましくは2．5〜4mm、または2．5〜3．5mm、最も好ましくは約3mmの幅を有し、及び／または(J2)第１のフィンガー部は、5〜45mmまたは5〜40mm（5〜30mmまたは5〜25mmまたは5〜20mmまたは5〜16mmまたは5〜14mm）、好ましくは7〜45mmまたは7〜40mm（7〜30mmまたは7〜25mmまたは7〜20mmまたは7〜16mmまたは7〜14mm）、より好ましくは9〜45mmまたは9〜40mm（好ましくは9〜30mmまたは9〜25mmまたは9〜20mmまたは9〜16mmまたは9〜14mm）、さらに好ましくは12〜30mm（好ましくは12〜25mm、12〜20mm、12〜16mm、12〜14mm）および／または特に好ましくは14〜25mm（好ましくは14〜20mmまたは14〜16mm）の長さを有し、ここで、第１のフィンガー部の長さは、(i)第１のフィンガー部の先端から(ii)第１の間隙の最も内側の部分まで、及び／または(i)第１のフィンガー部の先端から(ii)第１のフィンガー部の内側縁、または第１のフィンガー部を本体に接続する第１のステム部分の内側縁が本体から延在および／または突出する点まで、第1のフィンガー部分の長手方向軸に平行な方向および／または本体の隣接縁に平行な方向に測定し、及びまたは(J3)第１のフィンガー部と本体との間に形成され、ループ状バインダー(好ましくは螺旋状またはリング状バインダー)を受けるように適合された第１の間隙は、1．5〜8mm、1．5〜7mm、1．5〜6mm、1．5〜5mm、好ましくは2〜7mm、2〜6mm、2〜5mm、2〜4．5mm、より好ましくは2．5〜6mm、2．5〜5mm、2．5〜4．5mm、2．5〜4mmさらに好ましくは3〜6mm、3〜5mm、3〜4．5mm、3〜4mm、最も好ましくは3．5〜4mm、特に約3．8mm(特に3．8mm)の幅を有し、及び／または
(K)第２の取り外し可能な連結手段は、細長く、ループ状バインダーに取り外し可能に結合することができる第２のフィンガー部を含み、第２のフィンガー部は本体および／または本体の側面(特に隣接する側面)にほぼ平行に配列され、第２のフィンガー部と本体との間に第２の間隙を形成し、第２の間隙はループ状バインダーを受け入れ可能であり、(K1)第２のフィンガー部が1．5〜6mm、好ましくは1．5〜5mmまたは2〜5mm、より好ましくは2〜4．5mmまたは2〜4mm、さらに好ましくは2．5〜4mmまたは2．5〜3．5mmまたは最も好ましくは約3mmの幅を有し、及び／または(K2)第２のフィンガー部は、5〜30mm（好ましくは5〜25mmまたは5〜20mmまたは5〜16mmまたは5〜14mmまたは5〜12mmまたは5〜9mm）、または7〜30mm（好ましくは7〜25mmまたは7〜20mmまたは7〜16mmまたは7〜14mmまたは7〜12mmまたは7〜9mm）、最も好ましくは9〜30mm（好ましくは9〜25mmまたは9〜20mmまたは9〜16mmまたは9〜14mmまたは9〜12mm）の長さを有し、さらに最も好ましくは5〜20mm、5〜16mm、5〜14mm、5〜12mm、5〜9mm、さらに7〜20mm、7〜16mm、7〜14mm、7〜12mm、7〜9mm、最適には約9mm（特に9mm）の長さを有し、ここで、第２のフィンガー部の長さは、(i)第２のフィンガー部の先端から(ii)第２の間隙の最も内側の部分まで、及び／または(i)第２のフィンガー部の先端から(ii)第２のフィンガー部の奥端、または第２のフィンガー部を本体に接続する第２のステム部分の基端が本体から延在および／または突出する点までの距離を測定し、および／または(K3)第２のフィンガー部は第２のステム部分を介して本体に(好ましくは一体的に)接続され、第２のステム部分の基部は本体から離れる方向に、特に本体に対して概ね垂直に、例えば本体の隣接する側から離れる方向に延び、第２のステム部分の基部の幅は、2〜7mm、好ましくは2〜6mm、2〜5mm、より好ましくは2．5〜6mm、2．5〜5mm、2．5〜4．5mm、2．5〜4mm、さらに好ましくは3〜5mm、または3〜4．5mm、3〜4mm、最も好ましくは3〜約3．5mm、特に約3．5mm、及び／または(K4)第２のフィンガー部と本体との間に形成され、書籍のループ状バインダー(好ましくは螺旋状またはリング状バインダー)を受け入れるように適合された第２の間隙は、1．5〜8mm、1．5〜7mm、1．5〜6mm、1．5〜5mm、好ましくは2〜7mm、2〜6mm、2〜5mm、2〜4．5mm、より好ましくは2．5〜6mm、2．5〜5mm、2．5〜4．5mm、2．5〜4mm、さらに好ましくは3〜6mm、3〜5mm、3〜4．5mm、3〜4mm、最も好ましくは3．5〜4mm、特に約3．8mm、(特に3．8mm)の幅を有し、および／または
(L)ブックインサートは、書籍のユーザーに対する情報、および／またはマークされたページに関連する情報を指し示して得るためのものであり、ブックインサートのトップおよび／またはトップ部分、および第１の取り外し可能な連結手段は、ループ状バインダーの最上部ループに挿入された後、ループ状バインダーが閉じられ、ブックインサートのトップおよび／またはトップ部分の少なくとも一部が書籍の幅または上端から外側に突出したときに、外側に突出する部分がその周囲領域の一部または全部から区別されるように、色および／またはパターンによって視覚的に区別される区画領域を有し、ブックインサートの上部および／または上部の区画領域は、書籍のユーザーに対する使用情報を指し示して得るために用いられ、および／または
(M)ブックインサートは、本体のいくつかのまたはすべての角に隣接したおよび／または内側の部分に、複数の横方向に向けられたスリットを備え、複数の横方向スリットは本体上に取り外し可能に貼り付けることができる用紙を収容して定位置に保持するための挿入点として働く、ブックインサート。
【請求項３５】
ブックインサートはループ状バインダーで結束された書籍(螺旋またはリング状バインダー)と共に使用するのに適しており、および／またはブックマークとして機能する、請求項３４に記載のブックインサート。
【請求項３６】
(J)第１の取り外し可能な連結手段は、細長く、ループ状バインダーに取り外し可能に結合される第１のフィンガー部を含み、第１のフィンガー部は本体および／または本体の側面(特に隣接する側面)にほぼ平行に配列され、第１のフィンガー部と本体との間に第１の間隙を形成し、第１の間隙はループ状バインダーを受容可能であり、(J1)第１のフィンガー部は1．5〜6mm、好ましくは1．5〜5mm、または2〜5mm、より好ましくは2〜4．5mm、より好ましくは2〜4mm、さらに好ましくは2．5〜4mm、または2．5〜3．5mm、または最も好ましくは約3mmの幅を有し、及び／または(J2)第１のフィンガー部は、5〜45mmまたは5〜40mm（5〜30mmまたは5〜25mmまたは5〜20mmまたは5〜16mmまたは5〜14mm）、好ましくは7〜45mmまたは7〜40mm（7〜30mmまたは7〜25mmまたは7〜20mmまたは7〜16mmまたは7〜14mm）、より好ましくは9〜45mmまたは9〜40mm（好ましくは9〜30mmまたは9〜25mmまたは9〜20mmまたは9〜16mmまたは9〜14mm）、さらに好ましくは12〜30mm（好ましくは12〜25mm、12〜20mm、12〜16mm、12〜14mm）および／または特に好ましくは14〜25mm（好ましくは14〜20mmまたは14〜16mm）の長さを有し、ここで、第１のフィンガー部の長さは、(i)第１のフィンガー部の先端から(ii)第１の間隙の最も内側の部分まで、及び／または(i)第１のフィンガー部の先端から(ii)第１のフィンガー部の内側縁、または第１のフィンガー部を本体に接続する第１のステム部分の内側縁が本体から延在および／または突出する点まで、第1のフィンガー部分の長手方向軸に平行な方向および／または本体の隣接縁に平行な方向に測定し、及び／または(J3)第１のフィンガー部と本体との間に形成され、ループ状バインダー(好ましくは螺旋またはリング状バインダー)を受けるように適合された第１の間隙は、1．5〜8mm、1．5〜7mm、1．5〜6mm、1．5〜5mm、好ましくは2〜7mm、2〜6mm、2〜5mm、2〜4．5mm、より好ましくは2．5〜6mm、2．5〜5mm、2．5〜4．5mm、2．5〜4mm、さらに好ましくは3〜6mm、3〜5mm、3〜4．5mm、3〜4mm、最も好ましくは3．5〜4mm、特に約3．8mm(特に3．8mm)の幅を有する、請求項３４または３５に記載のブックインサート。
【請求項３７】
(K)第２の取り外し可能な連結手段は、細長く、ループ状バインダーに取り外し可能に結合することができる第２のフィンガー部を含み、第２のフィンガー部は本体および／または本体の側面(特に隣接する側面)にほぼ平行に配列され、第２のフィンガー部と本体との間に第２の間隙を形成し、第２の間隙はループ状バインダーを受け入れ可能であり、(K1)第２のフィンガー部が1．5〜6mm、好ましくは1．5〜5mmまたは2〜5mm、より好ましくは2〜4．5mm、2〜4mm、さらに好ましくは2．5〜4mmまたは2．5〜3．5mm、最も好ましくは約3mmの幅を有し、及び／または(K2)第２のフィンガー部は、5〜30mm（好ましくは5〜25mmまたは5〜20mmまたは5〜16mmまたは5〜14mmまたは5〜12mmまたは5〜9mm）、好ましくは7〜30mm、（好ましくは7〜25mmまたは7〜20mmまたは7〜16mmまたは7〜14mmまたは7〜12mmまたは7〜9mm）、さらに好ましくは9〜30mm（好ましくは9〜25mmまたは9〜20mmまたは9〜16mmまたは9〜14mmまたは9〜12mm）の長さを有し、最も好ましくは、5〜20mm、5〜16mm、5〜14mm、5〜12mm、5〜9mm、さらに最も好ましくは7〜20mm、7〜16mm、7〜14mm、7〜12mm、7〜9mm、最適には約9mm（特に9mm）の長さを有し、ここで、第２のフィンガー部の長さは、(i)第２のフィンガー部の先端から(ii)第２の間隙の最も内側の部分まで、及び／または(i)第２のフィンガー部の先端から(ii)第２のフィンガー部の奥端、または第２のフィンガー部を本体に接続する第２のステム部分の基端が本体から延在および／または突出する点までの距離を測定し、および／または(K3)第２のフィンガー部は第２のステム部分を介して本体に(好ましくは一体的に)接続され、第２のステム部分の基部は本体から離れる方向に、特に本体に対して概ね垂直に、例えば本体の隣接する側から離れる方向に延び、第２のステム部分の基部の幅は、2〜7mm、好ましくは2〜6mm、2〜5mm、より好ましくは2．5〜6mm、2．5〜5mm、2．5〜4．5mm、2．5〜4mm、さらに好ましくは3〜5mm、または3〜4．5mm、3〜4mm、最も好ましくは3〜約3．5mm、特に3．5mmであり、及び／または(K4)第２のフィンガー部と本体との間に形成され、ループ状バインダー(好ましくは螺旋またはリング状バインダー)を受け入れるように適合された第２の間隙は、1．5〜8mm、1．5〜7mm、1．5〜6mm、1．5〜5mm、好ましくは2〜7mm、2〜6mm、2〜5mm、2〜4．5mm、より好ましくは2．5〜6mm、2．5〜5mm、2．5〜4．5mm、2．5〜4mm、さらに好ましくは3〜6mm、3〜5mm、3〜4．5mm、3〜4mm、最も好ましくは3．5〜4mm、特に約3．8mm(特に3．8mm)の幅を有する、請求項３４〜３６のいずれかに記載のブックインサート。
【請求項３８】
(L)ブックインサートは、書籍のユーザーに対する情報、および／またはマークされたページに関連する情報を指し示して得るためのものであり、ブックインサートのトップおよび／またはトップ部分、および第１の取り外し可能な連結手段は、ループ状バインダーの最上部ループに挿入された後、ループ状バインダーが閉じられ、ブックインサートのトップおよび／またはトップ部分の少なくとも一部が書籍の幅または上端から外側に突出したときに、外側に突出する部分がその周囲領域の一部または全部から区別されるように、色および／またはパターンによって視覚的に区別される区画領域を有し、ブックインサートの上部および／または上部の区画領域は、書籍のユーザーに対する使用情報を指し示して得るために用いられる、請求項３４〜３７のいずれかに記載のブックインサート。
【請求項３９】
(M)ブックインサートは、本体のいくつかのまたはすべての角に隣接したおよび／または内側の部分に、複数の横方向に向けられたスリットを備え、複数の横方向スリットは本体上に取り外し可能に貼り付けることができる用紙を収容して定位置に保持するための挿入点として働く、請求項３４〜３８のいずれかに記載のブックインサート。
【請求項４０】
複数のステッカーを含み、これらステッカーはそれぞれ第１および第２の取り外し可能な連結手段を有し、複数のステッカーが書籍に挿入される仕切りとして機能するとともに、書籍に挿入したときにユーザーが視認可能である、請求項３４〜３９のいずれかに記載のブックインサート。
【発明の詳細な説明】
【技術分野】
【０００１】
本発明は、書籍のバインダー、好ましくは、リング状バインダー（例えば、開閉リング状バインダー）、螺旋状バインダー、櫛状バインダー、コイル状のワイヤバインダーなどに、取り外し可能に結合できる連結手段を含むステッカー、ステッカーの製造方法、ステッカーの取り付け方法、複数のステッカーを含むメモパッド、ステッカーの組み合わせ、及び、ブックインサートに関する。
本発明において、書籍とは、ループ状バインダーで結束された書籍、ノートブック（例えば、ワークブック）、システム手帳を含む。
ブックインサートは、積層されたページをマーキングするためおよび／又は他の用途のためとすることができる。
【背景技術】
【０００２】
様々な種類のブックマークが長年にわたって一般的であった。ブックマークは紙や厚紙などの適度に薄い材料から作られた薄いマーカまたはブックインサートであり、読者によって本の内側に置かれ、将来同じページに戻ることが容易である。それは、通常、本へのいかなる損傷も回避するように設計される。
【０００３】
ノートブック（例えば、ワークブック）やシステム手帳は、一般的に、様々な種類の情報の記録に使用される。これらは、とりわけ、カレンダープランナー、日記帳、連絡先の名前および住所、メモ、タスクリスト、会議で議論された情報の一部または全部、会議で行われた議論、会議で行われた決定（特に、会議の議事録またはメモ）を記録した書面による情報を含む。
ノートブック（例えば、ワークブック）やシステム手帳は、典型的には情報を書き込むための予め印刷された紙のシート、タブディバイダ、ポケットなどを備える。予め印刷された紙シートは、製造業者の設計に従って、罫線、カレンダー、名前および住所のためのスペースを含んでもよい。
【０００４】
汎用性のために、システム手帳は、材料のシート(例えば、紙シート)を都合よく結合または分離するために、開閉リングバインダーをしばしば含む。ノートブックの場合、シート材料のスタック(例えば、紙シートのスタック)は時には材料の相対位置が永久的に固定されるように、綴じコイルによって永久的に一緒に綴じられる。これらのリングおよびコイルは材料の各シートがひっくり返されるときに、その材料がスタック内のそれらの相対位置を保持することを可能にしながら、各シートを案内する綴じガイドの例である。開閉リングバインダーの場合、これらのシート(例えば、紙シート)は、リングを開くことによって取り除くことができる。対照的に、綴じコイルの場合、シート(例えば、紙シート)は通常、取り外しのために綴じコイルから引き裂かれなければならず、あるいは、綴じコイルの場合、シート(例えば、紙シート)は、通常、綴じコイルに概ね平行および／または隣接しているシートの脆弱線、例えば、穿孔線に沿って引き裂かれ、および／または取り外されなければならない。
【０００５】
より大きな汎用性を提供するために、取り外し可能に使用されることが意図されるこれらのシステム手帳やノートブックのための仕切りおよび他の構成要素は、好ましくはバインダーに都合よく取り付けられるか、またはバインダーから取り外されることを可能にする特徴を有するべきである。これは、様々な構成要素がスタック内の任意の位置でバインダーに取り外し可能に結合され、他の位置へ移動することによって再使用可能であるため、カスタマイズを可能にする。
【０００６】
特許文献１は、古い本または新しい本に、本の外観、形態、またはサイズを損なうことなく、容易かつ迅速に適用できると主張されるブックマークに関する。
【０００７】
特許文献２は、一般に、読書アクセサリに関し、特に、書籍との新規な関連付けのために構成されたブックマークに関する。また、特許文献２は本のページの内縁と製本の裏面との間に挿入される本体部材と、本体部材から延び、本の選択されたページの間に配置され、本の複数の場所に印を付けるように構成された可撓性部材を有する。
【０００８】
特許文献３には、精密なブックマークを開示しており、V字形のクランプ板がブックマークの上部に配置され、表示バーがブックマークと摺動可能に接続され、ブックマークが読んだ後に本のページの上部に固定され、表示バーが読まれていない行に摺動され、本が閉じられ、本が再び開かれたとき、読まれていない段落を見つけるためにより少ない時間で使用することができる。この正確なブックマークは構造が簡単であり、読むのに便利であるという利点を有する。
【０００９】
特許文献４は、マークされるべきページの両側に置くために固定された磁気手段を有するブックマークを開示し、磁石要素は互いに引き付けられ、それによってマークはページに取り外し可能に固定される。これらの磁気手段はあまり実用的ではない。
【００１０】
特許文献５および特許文献６は、積み重なったシート材料を保持する複数の離間したビンディングガイドに着脱自在に連結するためのインサートを開示している。このインサートは、可撓性本体と、可撓性本体の側面に実質的に平行に延び、細長いスリットの開口部を通してビンディングガイドを摺動可能に受容し、それによって、細長いスリットに沿った位置でビンディングガイドに係合するように構成された細長いスリットを可撓性本体と共に形成するフィンガー部分を備えるフックであって、細長いスリットの開口部が前記端部から離れる方向に向くように、前記フィンガー部分が、可撓性本体の側面の端部近くから前記端部から離れる方向に延びているフックである。好ましくは、パンフレットのインサートが第２の細長いスリットに沿った位置で第２のビンディングガイドに係合するように、第２の細長いスリットの開口部を通して第２のビンディングガイドを摺動可能に受容するように構成された第２の細長いスリットを可撓性本体と共に形成するように、可撓性本体の前記側面に実質的に平行に延在する第２のフィンガー部分を備える第２のフックも含む。好ましくは、第２の細長いスリットの開口部が第１の細長いスリットの開口部から離れている。
【００１１】
特許文献５に開示されたインサートはまた、第１のビンディングガイドが第１の細長いスリットに係合されるときに別のビンディングガイドに係合するために、第２のフックから第１のフックの方向に突出するフランジ部分を含む。特許文献５の詳細な説明の9ページは、このフランジ構成の例および以下のようなその機能を開示している。「...次いで、可撓性本体12が曲げられず、その結果、一方の綴じガイド36aが第1のフック16の第1の細長いスリット18によって受けられ、他方の綴じガイド36bが第2のフック26のフランジ部分31によって受けられる。図1から分かるように、インサート10は、第1のフック16のフィンガー部分22および第2のフック26のフランジ部分31によってビンディングガイド36から分離されることが防止される。しかしながら、第2のフック26の主指部分のフランジ部分31は不要であり、場合によっては不都合であり得ることが判明した。」
特許文献５に開示されたインサートでは、可撓性本体が可撓性本体から切り出された取付け部分(特に、クリップ状フラップ32)をさらに含み、この取付け部分は取付け部分(例えば、フラップ32)と可撓性本体(例えば、12)との間に物体(例えば、ゆるい紙片)を受け入れて取り付けるために柔軟である。しかし、これはあまり確実な取り付け手段ではなく、用紙片は折り返し32から容易に落下する可能性がある。
【先行技術文献】
【特許文献】
【００１２】
【特許文献１】米国特許出願公開第２６３３３７２号明細書
【特許文献２】米国特許出願公開第１９６１５２７号明細書
【特許文献３】中華人民共和国特許公開第１０２４６３７６３号明細書
【特許文献４】米国特許第２４４８６１１号明細書
【特許文献５】国際公開第２００６／１１８５４６号公報
【特許文献６】米国特許出願公開２００９／０３１１０３７号明細書
【発明の概要】
【発明が解決しようとする課題】
【００１３】
本発明が解決しようとする課題は、特許文献５の図面に開示された挿入物10の可撓性本体12の安全でない取り付け部(フラップ32)と比較して、リング状バインダー(例えば、開閉リング状バインダー)、螺旋状バインダー、櫛状バインダー、コイル状のワイヤバインダー内に、ページをマーキングするために、紙片、封筒または他の平坦な材料片を取り付ける、より効率的、安全、簡便なステッカー、その製造方法、ステッカーの取り付け方法、複数のステッカーを含むメモパッド、ステッカーの組み合せ、ブックインサートを提供することにある。
【課題を解決するための手段】
【００１４】
本発明の第1の態様は、書籍に挿入するのに適したステッカー、好ましくはループ状バインダー(例えば、螺旋状またはリング状バインダー)で結束された書籍に挿入するのに適したステッカーを提供し、以下を含む。
(i)取り外し可能な連結手段(特に挿入部材)であって、ループ製本された書籍のバインダーに着脱自在に連結できる(すなわち、結合できる)。
(ii)シート状又は平坦な材料片に取り付けるための粘着性の本体(好ましくはシートおよび／またはほぼ平坦な材料片を含み、および／または好ましくは可撓性である；またはより好ましくは材料片が紙片(特にシート)、封筒および／またはプラスチックシート(例えば可撓性プラスチックシート)、および／またはテキスタイル材料の片(例えば可撓性テキスタイル材料の片)を含む)。
ここで、ステッカーは、本のループ状バインダーに材料片を取り付けるための付属物として機能することができる。
【００１５】
取り外し可能な連結手段が、下記の(A)、(B)および／または(C)で定義されるものであり、および／またはステッカーおよび／またはステッカーの本体が、以下の(D)、(E)、(F)および／または(G)で定義されるものであるか、または定義される通りである。
(A)取り外し可能な連結手段が接着剤で覆われていない。
および／または
【００１６】
(B)着脱可能な連結手段は細長く、ループ状バインダーに着脱可能に連結することができるフィンガー部を含み、
フィンガー部は、本体の側部(隣り合う側部)に概ね並んで位置合わせされ、フィンガー部と本体との間に隙間を形成し、この隙間が本のループ状バインダーを受け入れ可能である。
および、
(B1)フィンガー部は、1．5〜6mm、好ましくは1．5〜5mmまたは2〜5mm、より好ましくは2〜4．5mmまたは2〜4mm、さらにより好ましくは2.5-4.5mmまたは2．5〜3．5mm、最も好ましくは約3mmの幅を有する。
および／または
(B2)フィンガー部は、5〜30mmまたは5〜25mmまたは5〜20mmまたは5〜16mmまたは5〜14mmまたは5〜12mm、好ましくは7〜30mmまたは7〜25mmまたは7〜20mmまたは7〜16mmまたは7〜14mmまたは7〜12mm、より好ましくは9〜30mmまたは9〜25mmまたは9〜20mmまたは9〜16mmまたは9〜14mmまたは9〜12mmの長さを有する。
ここで、前記フィンガー部の長さは、前記フィンガー部の長手軸に平行な方向および／または前記本体の隣接する縁部に平行な方向に測定される
(i)フィンガー部の外側先端から(ii)フィンガー部と本体との間の間隙の最も内側の部分まで、および／または
(i)フィンガー部の外側先端から、(ii)フィンガー部の内側縁部、またはフィンガー部分を本体に接続するステム部分の内側縁部が本体から突出する点まで;
および／または
【００１７】
(C)着脱可能な連結手段は細長く、ループ状バインダーに着脱可能に連結することができるフィンガー部を含む。
フィンガー部は本体および／または本体の側面に概して平行に整列され、フィンガー部はステム部分を介して本体に接続される。
そして、ステム部分の外縁および／または細長い取り外し可能な連結手段の外縁(すなわち、フィンガー部分と本体との間に形成される間隙から離れて面する縁)はステム部分の基部で本体から離れて(好ましくは概ね垂直に)延び、次いで、フィンガー部分の外側先端に向かう向きに湾曲を形成する。
および／または
【００１８】
(D)ステッカーの本体(特に粘着性本体、または接着剤を添加および／または排除する前の本体)は可撓性プラスチックシートの形態であり、0．3〜0．4mmの厚さを有し、好ましくは0．3〜0．35mmの厚さを有する。
および／または
【００１９】
(E)ステッカーの本体(特に、粘着性本体、より詳細には、接着剤の添加前および／または排除する前の本体)は
(i)可撓性プラスチックシートの形態である。
(ii)約200〜350ミクロン以上の厚さを有し(好ましくは300〜350ミクロン以上)、および／または0．15〜1mmまたは0．15〜0．7mmまたは0．15〜0．5mmの厚さを有し(好ましくは0．2〜1mmまたは0．2〜0．7mmまたは0．2〜0．5mmまたは0．2〜0．4mmの厚さを有し、より好ましくは0．25〜1mmまたは0．25〜0．7mmまたは0．25〜0．5mmまたは0．25〜0．4mmの厚さを有し、より好ましくは0．3〜1mmまたは0．3〜0．7mmまたは0．3〜0．5mmまたは0．3〜0．4mm、最も好ましくは0.3〜0.35mmの厚さを有する。
【００２０】
(E)において、ステッカーはPET{ポリエチレンテレフタレート}(好ましくはシート形態)から作られ、および／またはステッカーは可撓性プラスチック(好ましくはシート形態)から作られ、可撓性プラスチックは、PETシートまたはフィルムの耐引裂強さ（好ましくは初期引裂強さ)とほぼ同等の耐引裂強さを有する。
または、好ましくは、(E)において、ステッカーはPET{ポリエチレンテレフタレート}(好ましくはシート形態)および／または可撓性ナイロン(好ましくはシート形態)から作製され、可撓性ナイロンはPETシートまたはフィルムの耐引裂強さ（好ましくは初期引裂強さ)とほぼ同等の耐引裂強さを有する。
および／または
【００２１】
(F)ステッカー、および／またはステッカーの取り外し可能な連結手段および／またはステッカーの本体は可撓性プラスチック(これもまた好ましくは非脆性)から作られ、可撓性プラスチックは以下を含む。
(i)可撓性ポリエステル、以下のものを含む:可撓性ポリブチレンテレフタレート(PBT)、可撓性ポリトリメチレンテレフタレート(PTT)、可撓性ポリエチレンナフタレート(ポリエチレン2，6−ナフタレートまたはPENとも呼ばれる)、可撓性ポリヒドロキシアルカノエート(PHA)、可撓性ポリ−ε−カプロラクトン(PCL)、可撓性ポリ乳酸(PLA)、可撓性ポリグリコール酸(PGA、ポリグリコリドとも呼ばれる)、可撓性ポリエチレンコハク酸塩(PESu)、可撓性ポリプロピレンコハク酸(PPSu)、可撓性ポリブチレンコハク酸(PBSu)、可撓性ポリアジピン酸エチレン(PEA)、および／または可撓性ポリアジピン酸ブチレン(PBA)；
および／または
(vi)可撓性ポリアミド(好ましくは可撓性ナイロン、より好ましくは可撓性ナイロン6、可撓性ナイロン4、可撓性ナイロン6，6、可撓性ナイロン1，6、および／または可撓性ナイロン510を含む可撓性ナイロン);
および／または
(vii)ポリマー(i)および／または(vi)のうちの1つまたは複数；特に可撓性ポリ3−ヒドロキシブチレート−co−3−ヒドロキシバレレート(PHBV)、可撓性ポリ3−ヒドロキシブチレート−co−3−ヒドロキシヘキサノエート(PHBH)、および／または可撓性ポリブチレンアジペート−コテレフタレート(PBAT)の可撓性コポリマー、またはそれらを含有する可撓性コポリマー;
および／または
【００２２】
(G)ステッカーの本体(特に、粘着性本体、または接着剤を添加および／または排除する前の本体)は、シート(好ましくは可撓性プラスチックシート)の形態である。
(G)において、ステッカーの本体(特に粘着性本体、または特に接着剤の添加前および／または排除前の本体)は
5〜70mmまたは5〜60mmまたは5〜50mmまたは5〜20mmまたは5〜15mmの高さを有し、好ましくは5〜70mmまたは5〜60mmまたは5〜50mmまたは5〜20mmまたは5〜15mmの幅を有する。
または好ましくは8〜70mm、8〜60mm、または8〜50mm、または8〜40mm、または8〜20mm、または8〜15mmの高さを有し、好ましくは8〜70mm、8〜60mm、または8〜50mm、または8〜40mm、または8〜20mm、または8〜15mmの幅を有する。
またはさらにより好ましくは10〜70mm、10〜60mm、または10〜50mm、または10〜40mm、または10〜20mm、または10〜15mmの高さを有し、好ましくは10〜70mm、または10〜60mm、または10〜50mm、または10〜40mm、または10〜20mm、または10〜15mmの幅を有する。
または好ましくは、15〜60mm、15〜50mm、15〜40mm、15〜20mmの高さを有し、および／または(好ましくは)15〜60mm、15〜50mm、15〜40mm、15〜20mmの幅を有する。
【００２３】
本明細書中で使用される場合、「粘着性本体」は、時々、「本体」に短縮または略記される。
本明細書で使用されるように、本発明の実施形態について、用語「ループ状バインダー」または類似の用語はページの束または重ねた紙等を緩く接合するバインディング方法(またはバインディング方法によって綴じられる)を意味するものと理解すべきであり、バインディング方法はページの一端の穴(特に、連続する穴)を通る。バインディング方法は、好ましくはループ、典型的には複数のループを含む。ループは、螺旋状(好ましくは連続螺旋状)であり得るか、またはループが別個の、個々のループであり得る。好ましくはループが何らかの方法で湾曲しており、より好ましくはループが円、リング、螺旋、直線、および／または楕円から作製され、および／または円、リング、螺旋、直線、および／または楕円の部分から作製される。例えば、典型的なマルチリング方法および／または二リングまたは三リングのバインダー(好ましくは複数の、より好ましくは二つまたは三つの開閉可能なリングを有するバインダー；および／または好ましくは開閉可能なリングバインダー)は「ループバインダー」の好ましい実施形態として含まれる。「ループバインダー」の代替および／または追加の好ましい実施形態である他の例には、櫛状バインダー、コイル状のワイヤバインダー、および／またはワイヤバインダーが含まれる。
【００２４】
好ましくは着脱可能な連結手段(例えば、挿入部材など)は細長い。
好ましくは取り外し可能な連結手段が本体の上部から、またはそれに近接して延在する。
好ましくは、取り外し可能な連結手段が本体および／または本体の側部(好ましくは隣り合う側部)に概ね並行に整列される。
好ましくは取り外し可能な連結手段と本体との間に間隙を形成し、間隙は本のループ状バインダーを受け入れる(および／または内側に挿入される)ように形成される。
好ましくは、取り外し可能な連結手段が細長く、ループ状バインダーに着脱可能に連結することができるフィンガー部を備える。好ましくはフィンガー部が本体および／または本体の側面に概ね平行に整列され、および／または好ましくはフィンガー部がステム部分を介して本体に(好ましくは一体的に)接続される(この場合、好ましくはステム部分の基部が本体から離れる方向、特に本体に対して概ね垂直に離れる方向に延在する)。
【００２５】
特に好ましくは、取り外し可能な連結手段は細長く、ループ状バインダーに着脱可能に連結することができるフィンガー部を含む。
フィンガー部分は本体および／または本体の側面(特に隣接する側面)に概ね平行に配列されており、細長い取り外し可能な連結手段のフィンガー部と本体との間に間隙を形成し、間隙は本体のループ状バインダー(好ましくは螺旋状バインダー)を受けるように構成され(および／または間隙の内側に本体のループ状バインダー(好ましくは螺旋状バインダー)が挿入されるようにギャップが構成され、フィンガー部は1．5〜6mm(好ましくは1．5〜5mmまたは2〜5mm、より好ましくは2〜4．5mmまたは2〜4mm、さらに好ましくは2．5〜4mm、さらに好ましくは2．5〜3．5mmまたは最も好ましくは約3mm))の幅を有する。
および／または
【００２６】
フィンガー部は5〜45mmまたは5〜40mm(特に本発明のステッカーの場合、5〜30mmまたは5〜25mmまたは5〜20mmまたは5〜16mmまたは5〜14mmまたは5〜12mm)、好ましくは7〜45mmまたは7〜40mm(好ましくは本発明のステッカーの場合、特に7〜30mmまたは7〜25mmまたは7〜20mmまたは7〜16mmまたは7〜14mmまたは7〜12mm)、より好ましくは9〜45mmまたは9〜40mm(特に本発明のステッカーの場合、9〜30mmまたは9〜25mmまたは9〜20mmまたは9〜16mmまたは9〜12mm)、14〜25mm、および／または16〜25mm；および／または最も好ましくは、7mm、9〜12mm、14mm〜16mmまたは約20mmの長さを有する。
フィンガー部の長さは、フィンガー部の長手方向軸線に平行な方向および／または本体の隣接する縁部に平行な方向において、(i)フィンガー部の外側先端から(ii)フィンガー部と本体との間の間隙の最も内側の部分(好ましくはまたは長手方向に最も内側の部分)まで(すなわち、(i)フィンガー部の外側先端から(ii)フィンガー部の内側縁部、またはフィンガー部を本体に接続するステム部分の内側縁部が本体から延在および／または突出する点まで)測定される。
【００２７】
直前の段落に開示された特に好ましい実施形態では、より好ましくはフィンガー部がステム部分を介して本体に(好ましくは一体的に)接続され、その場合、さらにより好ましくはステム部分の基部が本体から離れる方向、特に本体に対して概ね垂直および離れる方向、例えば本体の隣接側から概ね離れる方向に延在する。この好ましいステム部分の実施形態では、好ましくはステム部分の基部の幅が2〜7mm、好ましくは2〜6mmまたは2〜5mm、より好ましくは2．5〜6mmまたは2．5〜5mmまたは2．5〜4．5mm、さらにより好ましくは3〜5mmまたは3〜4．5mmまたは3〜4mm、最も好ましくは約3．5mmである。
【００２８】
好ましくは、取り外し可能な連結手段は、細長く、ループ状バインダーに着脱可能に連結することができるフィンガー部を含む。
フィンガー部は本体および／または本体の側部(特に隣接する側部)に概ね平行に整列され、好ましくはフィンガー部がステム部分を介して本体に(好ましくは一体的に)接続される。
特に好ましくは、ステム部分の外縁および／または細長い取り外し可能な連結手段の外縁(すなわち、フィンガー部と本体との間に形成される隙間から離れて面する縁)はステム部分の基部で本体から離れて(好ましくは概ね垂直に)延び、次いで、フィンガー部の外側先端に向かう向きに湾曲を形成する。より好ましくは、ステム部分の湾曲した外縁が(i)ステム部分の基部で本体から離れて(好ましくは概ね垂直に)延び、(ii)フィンガー部をフィンガー部の長手方向軸に概ね平行な方向に(好ましくは一体的に)接合する。ステム部分および／または細長い取り外し可能な連結手段のこの湾曲した外縁は、ループ状バインダー、特に螺旋状バインダー、リング状バインダーまたは櫛状バインダーの２つの隣接するループ間にフィンガー部(および／または細長い取り外し可能な連結手段)を滑らかに挿入することを容易にすることが見出されている。
【００２９】
特に好ましくは、ステム部分の外縁および／または細長い取り外し可能な連結手段の外縁(すなわち、(i)本体と(ii)フィンガー部および／または細長い取り外し可能な連結手段との間に形成された間隙から離れて面する縁)は、フィンガー部の外側先端に向かって全体的に方向付けられるか、または本体から全体的に(好ましくは全体的に垂直に)離れて延在し、次いで、フィンガー部の外側先端に向かって全体的に方向付けられる湾曲を形成し、または本体から全体的に(好ましくは全体的に垂直に)離れて延在し、次いで、その先端が屈曲して、全体的にフィンガー部の外側先端に向かって方向付けられる。ステム部分および／または細長い取り外し連結手段の外縁のこの形状は、ループ状バインダー、特に螺旋状バインダー、リング状バインダー、または櫛状バインダーの２つの隣接するループ間へのフィンガー部(および／または細長い取り外し非結合手段)の滑らかな挿入を一般に容易にすることが見出されている。
【００３０】
特に好ましくは、ステム部分(および／または細長い取り外し可能な連結手段)の外縁がフィンガー部分の外先端から遠ざかる(特に実質的に直接遠ざかる)逆向きの突起または縁を含まない。このようにして、(好ましくは細長い)取り外し可能な連結手段(好ましくはステム部分および／またはフィンガー部)はループ状バインダーの２つの隣り合うループの間に挿入されるときに、バインダーに巻き付くことはない。この構成は特許文献５に開示される構成の改良であり、逆向きの突出部を有するフィンガー部(特許文献５では第２のフック24が逆向きのフランジ部分31を有する)は、リング状バインダーについては合理的に機能するが、挿入および／または除去中に螺旋状バインダー上ではしばしば引っかかるので、うまく機能しないことが判明している。
【００３１】
好ましくは、取り外し可能な連結手段(挿入部材；および／またはフィンガー部および／またはステム部分)が本体と一体的に形成される。
好ましくは、書籍に挿入するのに適したステッカー(好ましくはループ状バインダーで結束された書籍に挿入するのに適した)が非脆性の可撓性プラスチック、紙、または厚紙から作られる。より好ましくは、本に挿入するのに適したステッカーが非脆性および可撓性のプラスチックまたは紙、さらにより好ましくは非脆性および可撓性のプラスチックから作製される。
【００３２】
本発明において、「可撓性」物質、例えば「可撓性」プラスチック、および／または用語「可撓性」の他の使用は、本発明の目的と一致するように、すなわち、着脱可能な連結手段(好ましくは細長いおよび／または好ましくは挿入部材および／または好ましくはフィンガー部)が十分に可撓性であることを可能にし、および／または本体(例えばステッカー、ブックインサート、ブックマーク、仕切りおよび／または装置)が十分に可撓性であることを可能にするおよび／または容易にすること、で解釈されるべきである。
したがって、取り外し可能な連結手段と本体との間の間隙は、ループ状バインダー(例えば、螺旋状またはリング状バインダー)を受容(理想的には容易に受容)することができる。
また、取り外し可能な連結手段(好ましくは細長い、および／または好ましくは挿入部材、および／または好ましくはフィンガー部)を、ループ状バインダー(例えば、螺旋状またはリング状バインダー)に挿入することができ、理想的には容易に挿入することができる。
【００３３】
好ましくはステッカーおよび／または取り外し可能な連結手段および／または本体(特に粘着性本体、より具体的には任意の接着剤を追加および／または排除する前の本体)[他の態様では本の挿入物、ブックマーク、仕切りおよび／または機器]は、非脆性および可撓性のプラスチック、紙またはボール紙、またはより好ましくは可撓性のプラスチック、最も好ましくは本明細書で以下に定義されるような可撓性のプラスチックから作製される。
【００３４】
特に好ましくは、ステッカー（および／またはステッカーの取り外し可能な連結手段および／またはステッカーの本体）は、可撓性プラスチック(一般的には脆くない)から作られ、可撓性プラスチックは以下を含む。
(i)可撓性ポリエステル(好ましくは、可撓性ポリブチレンテレフタレート(PBT)、可撓性ポリトリメチレンテレフタレート(PTT)、可撓性ポリエチレンナフタレート(ポリエチレン2，6−ナフタレート又はPEN)、可撓性ポリヒドロキシアルカノエート(PHA)、可撓性ポリヒドロキシアルカノエート(PCL)、可撓性ポリ乳酸(PLA)、可撓性ポリグリコール酸(PGA)、可撓性ポリエチレンコハク酸(PESu)、可撓性ポリプロピレンコハク酸(PPSu)、可撓性ポリブチレンコハク酸(PBSu)、可撓性ポリアジピン酸エチレン(PEA)、および／または可撓性ポリアジピン酸ブチレン(PBA)。
【００３５】
(ii)可撓性ポリ塩化ビニル(PVC)(好ましくは、可塑剤、典型的にはフタレート系可塑剤および／またはポリ−ε−カプロラクトン(PCL)可塑剤を含むPVC);
(iii)可撓性ポリプロピレン(PP)である;
(iv)可撓性ポリエチレン(PE)
好ましくは：
可撓性高密度ポリエチレン(典型的には0．941g／cm3以上の密度で規定される)
可撓性中密度ポリエチレン(典型的には0．926〜0．940g／cm3)
可撓性低密度ポリエチレン(典型的には0．910〜0．940g／cm3)
可撓性線状低密度ポリエチレン(LLDPE、典型的には実質的に線状のポリエチレン、および／または0．915〜0．925g／cm3の密度範囲によって定義される；典型的にはいくつかの短鎖分枝、好ましくはいくつかのC1−C8アルキルまたはC2−C6アルキル分枝を含むポリマー；および／またはLLDPEは典型的にはエチレンと、1−ブテン、1−ヘキセンおよび／または1−オクテンなどの短鎖(好ましくはC4−C8)α−アルケン(1−アルケン)との共重合によって作製される、および／またはLLDPE可撓性超低密度ポリエチレン(VLDPE、0．880〜0．915g／cm3の密度範囲によって定義される；典型的にはいくつかの短鎖分枝(好ましくはいくつかのC1−C8アルキルまたはC2−C6アルキル、例えば、C2、C4またはC6アルキル)分枝(より好ましくは高レベルのこのような短鎖分枝、例えば、LLDPEに存在するものよりも高レベルの短鎖分枝を含む)を含む実質的に直鎖のポリマーであり、VLDPEは典型的にはエチレンと、1−ブテン、1−ヘキセンおよび／または1−オクテンなどの短鎖(好ましくはC4−C8α−アルケン(1−アルケン))との共重合によって製造された;
および／または
【００３６】
(v)可撓性ポリアクリル酸ベースのプラスチック、可撓性ポリメチルアクリレートプラスチック、可撓性ポリエチルアクリレートプラスチック、可撓性ポリメタクリレートプラスチック、および／または可撓性ポリメチルメタクリレートプラスチック、可撓性アクリレートポリマーベースのプラスチックを含むことが好ましい、;
および／または
【００３７】
(vi)可撓性ポリアミド(好ましくは可撓性ナイロン、より好ましくは可撓性ナイロン6、可撓性ナイロン4、可撓性ナイロン6，6、可撓性ナイロン1，6、および／または可撓性ナイロン510を含む);
および／または
【００３８】
(vii)ポリマー(i)、(ii)、(iii)、(iv)、(v)および／または(vi)のうちの1つまたは複数、特に可撓性ポリプロピレン−ポリエチレンコポリマー(PP−PE)、可撓性エチレン−酢酸ビニル(EVA)コポリマー、可撓性ポリ3−ヒドロキシブチレート−co−3−ヒドロキシバレレート(PHBV)、可撓性ポリ3−ヒドロキシブチレート−co−3−ヒドロキシヘキサノエート(PHBH)、および／または可撓性ポリブチレンアジペート−コ−テレフタレート(PBAT)の可撓性コポリマー。
【００３９】
本発明の実施形態において、ステッカー（および／またはステッカーの取り外し可能な連結手段および／またはステッカーの本体）が作られる可撓性ポリエステルは、好ましくは以下を含む:
可撓性ポリエチレンテレフタレート(PET)、可撓性ポリブチレンテレフタレート(PBT)、可撓性ポリトリメチレンテレフタレート(PTT)、可撓性ポリヒドロキシアルカノエート(PHA)[好ましくは、可撓性ポリヒドロキシブチレート(PHB)、可撓性ポリヒドロキシバレレート(PHV)および／または可撓性ポリヒドロキシヘキサノエート(PHH)、例えば、本明細書中でさらに定義されるような可撓性PHB、PHVおよび／またはPHH]、可撓性ポリ乳酸(PLA)、可撓性ポリグリコール酸(PGA)、可撓性ポリエチレンコハク酸塩(PESu)、可撓性ポリエチレンコハク酸エステル(PPSu)、可撓性ポリブチレンコハク酸(PBSu)、可撓性ポリアジピン酸エチレン(PEA)、および／または可撓性ポリアジピン酸ブチレン(PBA);
および／または可撓性ポリエステル含有コポリマー；好ましくは可撓性ポリ3−ヒドロキシブチレート−co−3−ヒドロキシバレレート(PHBV)、可撓性ポリ3−ヒドロキシブチレート−co−3−ヒドロキシヘキサノエート(PHBH)、および／または可撓性ポリブチレンアジピン酸−co−テレフタレート(PBAT)を含む。
【００４０】
生分解性ポリエステルが所望される場合、例えば、本発明によるステッカーを廃棄した時、土地および／または海洋環境への負の影響を低減することが所望される場合、好ましくは、本発明のいずれかまたは全ての態様および／または実施形態では可撓性ポリエステルが好ましくは以下を含む:
可撓性ポリ−ε−カプロラクトン(PCL)、可撓性ポリヒドロキシアルカノエート(PHA)(好ましくは可撓性ポリヒドロキシブチレート(PHB)、可撓性ポリヒドロキシバレレート(PHV)および／または可撓性ポリヒドロキシヘキサノエート(PHH)、可撓性ポリ乳酸(PLA)(好ましくは他の生分解性ポリエステルとのブレンドとして存在する)、可撓性ポリグリコール酸(PGA)、可撓性ポリエチレンコハク酸(PESu)、可撓性ポリプロピレンコハク酸(PPSu)、可撓性ポリブチレンコハク酸(PBSu)、可撓性ポリアジピン酸エチレン(PEA)、および／または可撓性ポリアジピン酸ブチレン(PBA)である。
および／または可撓性ポリ3−ヒドロキシブチレート−co−3−ヒドロキシバレレート(PHBV)、可撓性ポリ3−ヒドロキシブチレート−co−3−ヒドロキシヘキサノエート(PHBH)、および／または可撓性ポリブチレンアジピン酸−co−テレフタレート(PBAT)を含む。
【００４１】
頑丈で、強く、柔軟で、および／または加工可能(および任意選択で印刷可能)なポリエステルが望まれる場合、好ましくは、本発明のいずれかまたはすべての態様および／または実施形態では可撓性ポリエステルが好ましくは以下を含む:
可撓性ポリエチレンテレフタレート(PET)、可撓性ポリブチレンテレフタレート(PBT)、可撓性ポリトリメチレンテレフタレート(PTT)、可撓性ポリエチレンナフタレート(ポリエチレン2，6−ナフタレート)またはPENとも呼ばれる)、可撓性ポリヒドロキシアルカノエート(PHA)[好ましくは、本明細書でさらに定義するように、例えば、可撓性PHB、PHVおよび／またはPHH]、可撓性ポリエチレンコハク酸エステル(PESu)、可撓性ポリプロピレンコハク酸エステル(PPSu)、および／または可撓性ポリブチレンコハク酸エステル(PBSu);
および／または可撓性ポリ乳酸(PLA)(好ましくはブレンドとして、好ましくは生分解性である別のポリエステルとのブレンドとして存在する)および／または可撓性ポリエチレンアジペート(PEA)および／または可撓性ポリブチレンアジペート(PBA)および／または可撓性ポリ3−ヒドロキシブチレート−co−3−ヒドロキシバレレート(PHBV)、可撓性ポリ3−ヒドロキシブチレート−co−3−ヒドロキシヘキサノエート(PHBH)、および／または可撓性ポリブチレンアジピン酸−co−テレフタレート(PBAT)を含む。
【００４２】
本発明の実施形態において、可撓性ポリ乳酸(PLA、ポリラクチドとも呼ばれる)は、好ましくは可撓性ポリDL−乳酸(PDLLA、ポリ−DL−ラクチドとも呼ばれる)、または可撓性ポリL−乳酸(PLLA、ポリ−L−ラクチドとも呼ばれる)、または可撓性ポリL−ラクチド−コ−DL−ラクチド(PLDLLA)コポリマーである。
【００４３】
好ましくは、本発明のいずれかまたは全ての態様において、可撓性ポリ乳酸(PLA、ポリラクチドとも呼ばれる)はブレンドとして、より好ましくは可撓性非PLAポリエステル(好ましくは可撓性生分解性非PLAポリエステル)とのブレンドとして、さらにより好ましくはPBAT、PEA、PBA、PESu、PPSuおよび／またはPBSuとのブレンドとして存在する。PLA、およびPGA、PCL、PBAT、PEA、PBA、PESu、PPSuおよびPBSuは、生分解性ポリエステルである。PLA−PBAT(5〜20重量% PBAT)、PLA−PBA(5〜20重量% PBA)、およびPLA−PBSu(5〜20重量% PBSu)のブレンドは、PLAの特性を改善する、例えば、PLA単独よりも高い破断点伸びおよびわずかに低い強度を示す（Peng et al., J. Nanomaterials, 2010, vol. 2010, 記事ID 287082、8ページ参照）。好ましくは可撓性非PLAポリエステル(特に可撓性生分解性非PLAポリエステル) と可撓性ポリ乳酸 (PLA)を含有するブレンド(可撓性プラスチック、ポリマーおよび／またはポリエステル) において、0．5〜50重量％または2〜40重量％または2．5〜30重量％または5〜20重量％の非PLA−ポリエステルを含有する。
【００４４】
本発明の実施形態において、ステッカー、及び／又はステッカーの取り外し可能な連結手段、及び／又はステッカーの本体が作られる可撓性ポリヒドロキシアルカノエート(PHA)は可撓性ポリヒドロキシ酪酸(PHB)[より好ましくは可撓性ポリ3−ヒドロキシ酪酸(P3HB)(好ましくは可撓性ポリ(R)−3−ヒドロキシ酪酸(P(R)3HB))および／または可撓性ポリ4−ヒドロキシ酪酸(P4HB)；さらにより好ましくは、1000〜30000の3−ヒドロキシ酪酸モノマーを含む可撓性P3HBおよび／または1000〜30000の4−ヒドロキシ酪酸モノマーを含む可撓性P4HB；および／またはより好ましくは平均分子量(好ましくは平均)が0．03〜100MDa、0．2〜60MDa、0．5〜40MDa、または1〜30MDa(Da = Dalton、MDa＝MDa＝MDa)を有する可撓性P3HBまたはP4HB]；
可撓性ポリヒドロキシバレレート(PHV)[より好ましくは可撓性ポリ3−ヒドロキシバレレート(P3HV)、さらにより好ましくは可撓性ポリR)−3−ヒドロキシバレレート(P(R)3HV]；
可撓性ポリヒドロキシヘキサノエート(PHH)[より好ましくは可撓性ポリ3−ヒドロキシヘキサノエート(P3HH)、特に可撓性ポリR)−3−ヒドロキシヘキサノエート]；
軟質ポリヒドロキシオクタノエート(PHO)、可撓性ポリ3−ヒドロキシ酪酸−co−3−ヒドロキシバレレートおよび／または可撓性ポリ3−ヒドロキシ酪酸−co−3−ヒドロキシバレレート)、軟質ポリ3−ヒドロキシ酪酸−co−3−ヒドロキシヘキサノエートである。
ポリヒドロキシアルカノエート(PHA)、特に上記に列挙されたものは有用な生分解性ポリエステルであり、一般に、それらの多くは例えば、可撓性、強度、ガラス転移温度および／または融解温度に関して、有用な特性のバランスを有する。
【００４５】
より好ましくは本発明において、可撓性ポリヒドロキシアルカノエート(PHA)は以下を含む:
可撓性ポリヒドロキシブチレート(PHB)[より好ましくは、可撓性P3HB(特に、可撓性P(R)3HB)および／または可撓性P4HB、および／または本明細書でさらに定義される];
フレキシブルなポリヒドロキシバレレート(PHV)[より好ましくはフレキシブルなポリ3−ヒドロキシバレレート(P3HV)、さらにより好ましくはフレキシブルなP(R)3HV]；および／または
軟質ポリ3−ヒドロキシ酪酸−co−3−ヒドロキシバレレート)。
【００４６】
本発明のいずれかまたは全ての態様において、ポリ1，3−プロピレンコハク酸塩またはポリ1，2−プロピレンコハク酸塩であり得る可撓性ポリプロピレンコハク酸(PPSu)、および／または可撓性ポリエチレンコハク酸(PESu)であり、可撓性ポリブチレンコハク酸(PBSu)は、好ましくは2000〜2,000,000g/mol(ダルトン)、好ましくは5000〜500,000g/mol(ダルトン)、より好ましくは10,000〜200,000g/mol(ダルトン)の平均(好ましくは数平均)分子量を有する。
ポリアルキレンコハク酸PESu、PPSuおよびPBSuは有用な生分解性ポリエステルであり(PPSuが3つのうち最も速い生分解速度を有するため、最も好ましく)、一般に、PESu、PPSuおよび／またはPBSuは例えば、可撓性、強度、ガラス転移温度および融解温度に関して、有用な特性のバランスを有する。
1つの好ましい実施形態において、可撓性PPSu、PESuおよび／またはPBSuは可撓性ポリラクチド(PLA)とのブレンドとして存在し、この場合、好ましくは、PLA−(PPSu、PESuおよび／またはPBSu)ブレンドの0．5〜50重量％または2〜40重量％または2．5〜30重量％または5〜20重量％(PPSu、PESuおよび／またはPBSu)を含有する。
【００４７】
本発明の実施形態において、可撓性エチレン酢酸ビニル(EVA)コポリマーは、典型的には0．001〜30重量％または0．01〜30重量％の共重合酢酸ビニル、好ましくは0．01〜15重量％の共重合酢酸ビニル、より好ましくは0．01〜5重量％または0．05〜5重量％または0．1〜4重量％の可撓性エチレン−酢酸ビニルを含有する可撓性EVAコポリマーである。
【００４８】
本発明のいずれかまたは全ての実施形態において、好ましくは、ステッカー、及び／又はステッカーの取り外し可能な連結手段及び／又はステッカーの本体が作られる可撓性ポリ3−ヒドロキシブチレート−co−3−ヒドロキシバレレート(PHBV)は以下を含む。
ポリ3−ヒドロキシブチレート−co−3−ヒドロキシバレレート)の重量の0．3〜50％または0．5〜40％、より好ましくは1〜30％または2〜25％、さらにより好ましくは2〜20％または5〜20％、典型的には約1％、約2％、約5％、約8％または約12％の共重合3−ヒドロキシバレレートを含有する可撓性PHBV。
【００４９】
本発明のいずれかまたは全ての実施形態において、好ましくは、ステッカー、及び／又はステッカーの取り外し可能な連結手段及び／又はステッカーの本体が作られる可撓性ポリ3−ヒドロキシブチレート−co−3−ヒドロキシヘキサノエート(PHBH)は:
ポリ3−ヒドロキシブチレート−co−3−ヒドロキシヘキサノエート)の重量の0．3〜50％または0．5〜40％、より好ましくは1〜30％または2〜25％、さらにより好ましくは2〜20％または5〜20％、典型的には約1％、約2％、約5％、約8％または約12％の共重合3−ヒドロキシヘキサノエートを含有する可撓性PHBHである。
【００５０】
本発明のいずれかまたは全ての態様において、可撓性ポリブチレンアジピン酸−co−テレフタレート(PBAT)は好ましくはアジピン酸(テレフタル酸および／または好ましくはジメチルテレフタレート)および1，4−ブタンジオールから得ることができる、および／またはそれから合成される可撓性PBATである。PBATは有用な生分解性ポリエステルである。好ましくは、可撓性ポリブチレンアジピン酸−co−テレフタレート(PBAT)が存在するPBATの重量に対して、1〜99重量％または5〜95重量％または10〜90重量％または20〜80重量％または30〜75重量％の共重合ブチレンアジペートを含有することができる。1つの好ましい実施形態において、可撓性ポリブチレンアジピン酸−co−テレフタレート(PBAT)は可撓性ポリラクチド(PLA)および可撓性ポリブチレンアジペート−コテレフタレート)のブレンドとして存在し、より好ましくは、存在するPBAT−PLAブレンドの0．5〜50重量％または2〜40重量％または2．5〜30重量％または5〜20重量％のPBATTを含有する(例えば、Jiangら、Biomacromolecules、2005年、第7(1)、199巻；および／またはPengら、Ｊ．Nanomaterials、2010巻、2010, 記事ID 287082、8ページ)。
【００５１】
より好ましくは本発明の実施形態において、ステッカーおよび／またはステッカーの取り外し可能な連結手段および／またはステッカーの本体は可撓性プラスチック(好ましくはやはり非脆性)から作られ、可撓性プラスチックは以下を含む。
(i)可撓性ポリエステル(好ましくは、可撓性PET、可撓性PBT、可撓性PTT、可撓性PEN、可撓性ポリヒドロキシアルカノエート(PHA)(特に、可撓性PHB、可撓性PHVおよび／または可撓性PHH)、可撓性PCL、可撓性PLA、可撓性PGA、可撓性PESu、可撓性PPSu、可撓性PBSu、可撓性PEA、および／または可撓性PBA)；
(ii)可撓性ポリ塩化ビニル(PVC)(好ましくは、可塑剤、典型的にはフタレート系可塑剤および／またはPCL可塑剤を含むPVC);
(iii)可撓性ポリプロピレン(PP)および／または可撓性ポリプロピレン
(iv)可撓性ポリエチレン(PE)
(vi)可撓性ポリアミド(好ましくは可撓性ナイロン、より好ましくは可撓性ナイロン6、可撓性ナイロン4、可撓性ナイロン6，6、可撓性ナイロン1，6、および／または可撓性ナイロン510を含む)および／または可撓性ナイロン
(vii)ポリマー(i)、(ii)、(iii)、(iv)および／または(vi)のうちの1つまたは複数(特に、可撓性ポリプロピレン−ポリエチレンコポリマー(PP−PE)、可撓性エチレン−酢酸ビニル(EVA)コポリマー、可撓性ポリ3−ヒドロキシブチレート−co−3−ヒドロキシバレレート(PHBV)、可撓性ポリ3−ヒドロキシブチレート−コ−3−ヒドロキシヘキサノエート(PHBH)、および／または可撓性ポリブチレンアジピン酸−co−テレフタレート(PBAT))の可撓性コポリマー、またはそれらを含有する。
【００５２】
さらにより好ましくは、本発明の実施形態において、ステッカーおよび／またはステッカーの取り外し可能な連結手段および／またはステッカーの本体は可撓性プラスチック(好ましくはやはり非脆性)から作られ、可撓性プラスチックは以下を含む。
(i)可撓性PET、可撓性PBT、可撓性PTT、可撓性PEN、可撓性ポリヒドロキシアルカノエート(PHA)(特に、可撓性PHB、可撓性PHVおよび／または可撓性PHH)、可撓性PLA、可撓性PESu、可撓性PPSu、可撓性PBSu、可撓性PEAおよび／または可撓性PBA;
(ii)可撓性ポリ塩化ビニル(PVC)(好ましくは、可塑剤、典型的にはフタレート系可塑剤および／またはPCL可塑剤を含むPVC);
(iii)可撓性ポリプロピレン(PP)および／または可撓性ポリプロピレン
(vi)可撓性ポリアミド(好ましくは可撓性ナイロン、より好ましくは可撓性ナイロン6、可撓性ナイロン4、可撓性ナイロン6，6、可撓性ナイロン1，6、および／または可撓性ナイロン510を含む)および／または可撓性ナイロン
(vii)ポリマー(i)、(ii)、(iii)および／または(vi)(好ましくは、可撓性ポリプロピレン−ポリエチレンコポリマー(PP−PE)、可撓性ポリ3−ヒドロキシブチレート−co−3−ヒドロキシバレレート(PHBV)、可撓性ポリ3−ヒドロキシブチレート−co−3−ヒドロキシヘキサノエート(PHBH)、および／または可撓性ポリブチレンアジピン酸−co−テレフタレート(PBAT))のうちの1つ以上の可撓性コポリマー、またはそれらを含有する可撓性コポリマー。
【００５３】
さらにより好ましくは、本発明の実施形態において、ステッカーおよび／またはステッカーの取り外し可能な連結手段および／またはステッカーの本体は可撓性プラスチック(好ましくはやはり非脆性)から作られ、可撓性プラスチックは以下を含む。
(i)可撓性PET、可撓性PBT、可撓性PTT、可撓性PEN、可撓性ポリヒドロキシアルカノエート(PHA)(特に可撓性PHB、可撓性PHVおよび／または可撓性PHH)、可撓性PLA、可撓性PESu、可撓性PPSu、可撓性PBSu、可撓性PEAおよび／または可撓性PBA。
(ii)可撓性ポリ塩化ビニル(PVC)(好ましくは、可塑剤、典型的にはフタレート系可塑剤および／またはPCL可塑剤を含むPVC)；および／または
(vii)ポリマー(i)および／または(ii)好ましくは、可撓性ポリ3−ヒドロキシブチレート−co−3−ヒドロキシバレレート(PHBV)、可撓性ポリ3−ヒドロキシブチレート−co−3−ヒドロキシヘキサノエート(PHBH)、および／または可撓性ポリブチレンアジピン酸−co−テレフタレート(PBAT)の1つまたは複数からなる可撓性コポリマー、またはそれらを含有する可撓性コポリマー。
【００５４】
最も好ましくは、本発明の実施形態において、ステッカーおよび／またはステッカーの取り外し可能な結合手段および／またはステッカーの本体は可撓性プラスチック(好ましくは非脆性)から作製され、可撓性プラスチックは可撓性ポリエチレンテレフタレート(PET)を含む。
例えば、PET(ならびにPBTおよびPTTおよびPEN)はPPよりもより加工可能であり、印刷可能であることに基づいて、PPよりもより好ましいプラスチックであることが見出されており、PVCは技術的意味においてPETとほぼ同じくらい良好である可能性が高いが、PETはPVCよりも安価であり、これは使い捨ておよび／または低コストの文房具型物品にとって重要である。
【００５５】
他方、PET(およびPEN、ならびにおそらくPBTおよびPTT)は天然(例えば、海洋)環境において非常に持続的であるか、またはしばしば非常に持続的である。すなわち、天然(例えば、海洋)環境において生分解するのに長時間を要し得る。PETに代表されるこれらの本質的に非生分解性のポリエステル(その多くは海洋環境に存在する)は、現在、主要な環境問題であり、海洋生物を損傷する可能性がある。本発明の第１の態様によるステッカーは通常は小さいサイズであり、通常は延長フィンガー部および／または挿入部材を有し、例えば魚、カメまたは他の海洋生物によって食べられると、傷つける可能性を有し、したがって、生分解性および／またはUV分解性ポリエステルまたはポリマーまたはプラスチックは、本発明の環境に優しい実施形態において好ましい。
【００５６】
したがって、本発明の好ましい実施形態では、ステッカーおよび／またはステッカーの取り外し可能な連結手段および／またはステッカーの本体は、陸上および／または海洋環境、より具体的には温帯、地中海、半赤道または赤道の気候や環境において、PETよりも速い速度で一般に生分解する可撓性プラスチックから作製される。このような生分解性可撓性プラスチックは、例えば、生物学的材料から、好ましくはトウモロコシの殻、スイッチグラス(switch grass)、樹皮(例えば、松の皮)、エンバクの皮、オレンジの皮、ジャガイモの皮、および／または他の農業副産物などの適切な植物ベースの材料から作製および／または誘導することができ、あるいはいくつかの生分解性可撓性プラスチックが特定の微生物(例えば、特定の細菌)によって生合成することができる。いくつかのポリエステル(典型的には、PCL、PHA(例えば、PHB、PHVおよび／またはPHH)、PLA、PGA、PESu、PPSu、PBSu、PEAおよび／またはPBA、および／または本明細書に列挙される任意の他の脂肪族ポリエステル、および／または本明細書に列挙される少なくとも部分的に脂肪族ポリエステルコポリマー(PHBV、PHBHおよび／またはPBAT))は一般的に、生分解性(PETと比較して)で可撓性プラスチックであると考えられる。あるいは可撓性ナイロン、より好ましくは可撓性ナイロン6、可撓性ナイロン4、可撓性ナイロン6，6、可撓性ナイロン1，6、および／または可撓性ナイロン510を含む可撓性ナイロンは環境中でナイロンが適度にゆっくりとしかし一般にPETよりも速く分解するので、適度に生分解性の可撓性プラスチック(特に可撓性ナイロン4)として適切であり得る。
【００５７】
好ましくは、本体、特にステッカーの本体(特に粘着性本体、または任意の接着剤の添加を除くおよび／または添加前の本体)はシートの形態であり、概して平面である。より好ましくは、本体(特にステッカー)が薄いおよび／または概ね平坦なシートおよび／またはより好ましくは可撓性シートの形態であり；さらにより好ましくは可撓性プラスチックまたは紙のシートであり；最も好ましくは可撓性プラスチックシート(通常は概ね平坦)である。
【００５８】
好ましくは、ステッカーの本体(特に粘着体、または任意の接着剤の添加を除くおよび／または添加前の本体)はシートの形態または平板状(より好ましくは可撓性および平面状のシートの形態、または最も好ましくは概して平面状である可撓性プラスチックシート)であり、ステッカーの本体(特に粘着性本体、または特に任意の接着剤の添加および／または排除前の本体)は0．01〜1mm、好ましくは0．02〜1mm、または0．05〜0．5mm、より好ましくは0．05〜1mm、または0．025〜0．5mm、例えば0．03〜0．05mmの厚さを有する。
【００５９】
引裂に対する良好な耐性(引裂抵抗または引裂強度とも呼ばれる)のために、ステッカー本体(特に、粘着性本体、または、任意の接着剤の添加前および／または排除前の本体)が理想的には約200〜350ミクロン以上、例えば、300〜350ミクロン以上の厚さを有するべきであることが見出された。したがって、より好ましくは、ステッカーの本体(特に粘着性本体、または任意の接着剤を添加および／または排除する前の本体)は0．05mm以上、または0．05〜1mm、または0．05〜0．7mm、または0．05〜0．5mmの厚さを有し、または好ましくは0．15mm以上、または0．15〜1mm、または0．15〜0．7mm、または0．15〜0．5mmの厚さを有し、または好ましくは0．2mm以上、または0．2〜1mm、または0．2〜0．7mm、または0．2〜0．2mm、または0．2〜0．4mmの厚さを有し、または0．25mm以上、または0．25〜0．7mmの厚さを有する。0．25〜0．5mmまたは0．25〜0．4mm、またはさらに好ましくは0．3mm以上または0．3〜1mmまたは0．3〜0．7mmまたは0．3〜0．5mmまたは0．3〜0．4mmの厚さを有し、または最も好ましくは0．3〜0．35mmの厚さを有する。好ましくは、ステッカーの本体(特に粘着性本体、または特に任意の接着剤の添加前および／または排除前の本体)はシートの形態または概ね平板状であり、より好ましくは可撓性シートの形態であり、または最も好ましくは可撓性プラスチックシートの形態(通常は概ね平板状)である。好ましくは上述の好ましい厚さのいずれかが適用され、ステッカーは可撓性プラスチックから作られ、および／または取り外し可能な連結手段(好ましくは細長い)および／または本体(特に、粘着性本体、より詳細には任意の接着剤の追加および／または排除前の本体)は可撓性プラスチックから作られる。ステッカーはPETから作製され、または可撓性プラスチック(特に可撓性ナイロン)から作製され、可撓性プラスチックはPET(好ましくはシート形態のPET)のそれと概ね同様および／または概ね同等(好ましくは実質的に同じ)の引裂抵抗(引裂強度、好ましくは初期引裂強度)を有する。
【００６０】
したがって、(i)本体、特にステッカーの本体(特に粘着性本体、または特に任意の接着剤の添加前および／または排除前の本体)が、本明細書で定義される厚さを有することがさらにより好ましい。
及び
(ii)取り外し可能な連結手段(好ましくは細長い)および／または本体(特に、粘着性本体、より詳細には任意の接着剤の追加および／または排除前の本体)は非脆性および可撓性のプラスチック、より好ましくは本明細書で定義される可撓性プラスチック(特に、上記または特許請求の範囲で定義される可撓性プラスチック)から作られる。
またはより好ましくは、可撓性ナイロン（好ましくは引き裂き抵抗(引裂き強度、好ましくは初期引き裂き強度))がPET(好ましくはシート形態のPET)のそれと概ね類似(好ましくは実質的に同じ)であり、好ましくはシート形態または平板状である。
または最も好ましくは、PET（ポリエチレンテレフタレート）(好ましくは概ね平板状またはシート形態)から作製される。
【００６１】
さらにより好ましくは(i)本体、特にステッカーの本体(特に粘着性本体、または特に任意の接着剤の添加前および／または排除前の本体)は本明細書で定義される厚さ(好ましくは上記および／または特許請求の範囲で定義される厚さを有する。
および、
(ii)ステッカーはPET[ポリエチレンテレフタレート](好ましくはシート形態または概ね平板状)から作製され、またはステッカーは可撓性プラスチック(好ましくはシート形態または概ね平板状)から作製され、可撓性プラスチックはPETシートまたはフィルムと概ね同等である(好ましくは実質的に同じ)引裂抵抗(引裂強度、好ましくは初期引裂強度)を有する。可撓性ナイロン(特にシートまたはフィルムとして)はしばしば、一般にPETシートまたはフィルムのそれと類似および／または一般的に同等である(好ましくは実質的に同じ)引裂抵抗または引裂強さ(好ましくは初期引裂強さ)を有する（下記の表を参照のこと）。したがって、特に好ましくはステッカーがPETまたは可撓性ナイロンから作製され、可撓性ナイロンはPETシートまたはフィルムの引裂抵抗(引裂強度、好ましくは初期引裂強度)とほぼ同等および／またはほぼ同等(好ましくは実質的に同じ)の引裂抵抗(引裂強度)を有する。
【００６２】
一例として、PETシートまたはフィルムの最初の引裂強度は約18〜約54グラム／マイクロメートルであると考えられる(例えば、https://www.azom.com/article.aspx?ArticleID=2047,およびhttp://www.goodfellow.com/e/Polyethylene-terephthalate.htmlを参照のこと)。
また、PET、LDPE、HDPE、LLDPE、ナイロン、PVDC(ポリ塩化ビニリデン)、および配向ポリプロピレン(OPP)の引裂強さを含む、本発明での使用に適したいくつかの可撓性包装プラスチック(シートプラスチック)(参考として、配向ポリプロピレン(OPP)の引裂強さに対する比として)の引裂強さを、以下の表１に示す。これは、Brian Ｓ.Mitchell、John Wiley & Sons、2004(954ページ)による。
【００６３】
【表１】
2019217765.tif 000003
【００６４】
上記表１の注記:PVC(シート)の引裂強さは、PVCが広範囲に変化する引裂強さの値を有するため、上記の表には示されていない。PEプラスチックは一般に、比較的低い引張強度を有するが、比較的高い引裂強度を有する。OPPは比較的高い引張強度を有するが、比較的低い引裂強度を有する。PETは比較的高い引張強さを有し、また比較的高い引裂強さを有することが分かる(PETはOPPの引裂強さに対する比として3．5〜25．0の引裂強さを有する(例えば表１による)。ナイロン包装ポリマー(ナイロンシート)はまた、OPPの引裂強さに対する比として、例えば表に従って、4．5〜18．0の比較的高い引裂強さを有する。したがって、ナイロンシートは、その引裂き強度に関して、PETシートと概ね同等である。したがって、ナイロン(例えば、シートまたは膜として)は本発明による好ましい可撓性プラスチックであり、好ましくは特に本発明のステッカーにおいて、取り外し可能な連結手段(好ましくは細長いおよび／または好ましくは挿入部材)および／または本体(特に、粘着性本体、より詳細には任意の接着剤の追加および／または排除前の本体)がナイロン(例えば、シートとして)から作製される。好ましくは、可撓性ナイロンが可撓性ナイロン6、可撓性ナイロン4、可撓性ナイロン6，6、可撓性ナイロン1，6、および／または可撓性ナイロン510を含む。
【００６５】
好ましくは、本体、特にステッカーの本体(特に粘着性本体、または任意の接着剤を添加および／または排除する前の本体)はシートの形態であり、概して平面状である;
そして、特にステッカーの本体(特に粘着性本体、または特に接着剤の添加前および／または排除前の本体)は5〜130mmまたは5〜100mmまたは5〜70mmまたは5〜60mmまたは5〜50mmまたは5〜20mmまたは5〜15mmの高さを有し、5〜130mmまたは5〜100mmまたは5〜70mmまたは5〜50mmまたは5〜20mmまたは5〜15mmの幅を有する。
またはより好ましくは8〜100mm、8〜70mm、または8〜60mm、または8〜50mm、または8〜40mm、または8〜20mm、または8〜15mmの高さ、および8〜100mm、または8〜70mm、または8〜60mm、または8〜50mm、または8〜40mm、または8〜20mm、または8〜15mmの幅を有する。
またはさらにより好ましくは10〜70mm、10〜60mm、または10〜50mm、または10〜40mm、または10〜20mm、または10〜15mmの高さを有し、10〜70mm、または10〜60mm、または10〜50mm、または10〜40mm、または10〜20mm、または10〜15mmの幅を有する。
または好ましくは15〜60mmまたは15〜50mmまたは15〜40mmまたは15〜20mmの高さを有し、15〜60mmまたは15〜50mmまたは15〜40mmまたは15〜20mmの幅を有する。
または特に、20〜60mm、20〜50mm、20〜40mmの高さを有し、20〜60mm、20〜50mm、20〜40mmの幅を有する。
【００６６】
好ましくは、ステッカーの本体(特に粘着性本体、または任意の接着剤を除く本体)は少なくとも一方の面(好ましくは一方の面)に接着剤を含むか、または少なくとも部分的に(好ましくは部分的に)接着剤で覆われる。
好ましくは、取り外し可能な連結手段(好ましくはフィンガー部およびステム部分)が接着剤で覆われていない。好ましくは取り外し可能な連結手段の両面が接着剤によって覆われていない。
【００６７】
好ましくは、本体の少なくとも１つの(好ましくは１つの)面上の接着剤、および／または接着剤の塗布もしくは分配パターンは、ステッカーが材料から、材料を損傷することなく(例えば、引き裂きまたは剥離することなく)除去され得る(特に、紙、封筒、またはプラスチックシート、またはテキスタイル材料の片から除去され得る)ようにする。
より好ましくは、接着剤、および／または接着剤の塗布もしくは分配パターンは材料から取り外した後に、ステッカーが再配置され、材料に再付着(特に、紙片、封筒、またはプラスチックシート、または繊維材料に再付着)され得るようなものである。
【００６８】
特に好ましくは、接着剤の化学組成、および接着剤がシートまたはほぼ平坦な本体の少なくとも1つの(好ましくは1つの)面に塗布され、および／またはそれらの周りに分配される方法および／またはパターンは以下のようになる。
ステッカーは材料片から取り外すことができ(特に、紙片、封筒、またはプラスチックシート、またはテキスタイル材料片から、実質的に材料片を傷つけることなく、例えば、引き裂いたり剥離したりすることなく)；次いで、(任意選択的に、より好ましくは)ステッカーを再配置し、材料片に再付着させることができる(特に、紙片、封筒、またはプラスチックシート、またはテキスタイル材料片に再付着する)。
【００６９】
特に好ましくは、接着剤は感圧接着剤であり、除去可能な接着剤である。特に好ましくは接着剤が除去可能かつ再付着可能な接着剤であり、接着剤の塗布または分配パターンは前記除去可能性および再付着可能性を達成する。
この特に好ましい一実施形態では、接着剤(特に、本発明のステッカーのシートおよび／または概ね平坦な本体の少なくとも１つの面に塗布される)はエラストマーコポリマー微小球を含むことができ、微小球は80重量％以上(好ましくは90重量％〜99．5重量％または95重量％〜99％)の少なくとも1つの重合および／または共重合C3−C10アルキルアクリレートエステル(好ましくは少なくとも1つの重合C4−C8アルキルアクリレートエステル、より好ましくはイソオクチルアクリレート、4−メチル−2−ペンチルアクリレート、2−メチルブ)を含む。
【００７０】
好ましくは、これらの微小球が20％以下(好ましくは0．5％〜10％または1％〜5％)の少なくとも1種の重合および／または共重合イオン性モノマーおよび／または無水マレイン酸をさらに含む。
好ましくは水溶性および／または実質的に油不溶性であるイオン性モノマーは、好ましくはナトリウム、カリウムまたはアンモニウムメタクリレート；アンモニウム、ナトリウムまたはカリウムアクリレート；トリメチルアミンメタクリルイミド；1，1−ジメチル−1−(2，3−ジヒドロキシプロピル)アミンメタクリルイミド；および／または双性イオンモノマーを含む。このタイプのエラストマー共重合体マイクロスフェアを含む接着剤は米国特許第3,691,140号明細書に開示されており、このコポリマー微小球を再配置可能な感圧接着剤として使用した。
【００７１】
好ましくは、ステッカー、および／または本体の上の接着剤または接着剤アイランドは以下のように定義される。
感圧接着剤は、接着剤の連続コーティングを有するシート材料が新聞紙に塗布された場合に、前記新聞紙を引き裂き又は層間剥離することなく通常の除去速度で剥がすことができないように、新聞紙に十分に接着している。
前記接着性アイランドは厚さが0．01〜0．15mm(好ましくは0．02〜0．10mm)であり、前記接着性アイランドは幅１センチメートル当たり8〜80グラムの未処理ポリエステルフィルムへの接着性を達成するように(より好ましくは未処理ポリエステルフィルムから前記シート材料を除去するのに必要な力は10〜50g／cm幅)、0．02〜1．5mm(典型的には前記接着性アイランドが0．05〜0．08mmの少なくとも１つの他の寸法を有する)以下の寸法を有し、前記接着性アイランドは前記接着剤が塗布される領域の10〜85％(好ましくは20〜60％)を占める。
それによって、少なくとも部分的に(好ましくは部分的に)感圧接着剤アイランドによって覆われているシート状および／またはほぼ平坦な本体の少なくとも１つの(典型的には１つの)面を新聞に接着し、室温(典型的には20〜25℃、例えば22℃)で２週間接したままにしても、目に見えるほど損傷することなく新聞から取り除くことができる。
【００７２】
接着剤は水性エマルジョンの乾燥堆積生成物である。
感圧接着剤アイランドの非反復パターンは、本体の一方の縁部に隣接してのみ存在し、本体の残りは接着剤アイランドを実質的に含まない。
接着剤アイランドのパターンは、シートの接着剤のない部分に隣接する接着剤ストリップの部分における接着剤アイランドの個数密度がストリップの別の部分における接着アイランドの個数密度よりも小さい。
【００７３】
好ましくは、以下の通りである:
本体はシートの形態であり、より好ましくは薄いおよび／または概ね平坦なシートおよび／またはより好ましくは可撓性シートであり、さらにより好ましくは可撓性プラスチックまたは紙のシートであり、取り外し可能な連結手段(好ましくは細長いおよび／または好ましくは挿入部材)がシートの平面と概ね同一平面である平面内で本体の上部から実質的に延在する(すなわち、連続する)。
【００７４】
本発明はまた、ステッカーを、ループ状バインダーに取り付ける(好ましくは取り外し可能に取り付ける)方法を提供し、好ましくは書籍のループ状バインダーに、取り外し可能な連結手段(好ましくは細長い連結手段、例えば、フィンガー部)を挿入する(より好ましくは取り外し可能に挿入する)。
および／または
好ましくは粘着性本体(例えば、接着剤で少なくとも部分的に覆われた粘着性本体の少なくとも１つの面)を材料片に取り付ける(好ましくは取り外し可能に取り付ける)。
好ましくは材料片がシートおよび／またはほぼ平坦な材料片を含み、より好ましくは材料片が紙片、封筒および／またはプラスチックシート、および／または織物材料片を含む。好ましくは、材料は可撓性であり、紙片、封筒、可撓性プラスチックシート、可撓性織物材料片などを含む。
【００７５】
好ましくは本発明の第1の態様によれば、ステッカーを取り付ける(好ましくは取り外し可能に取り付ける)方法は、以下のステップ(i)および(ii)を任意の順序で含む[好ましくはステップ(ii)がステップ(i)の前に行われる]。
(i)２つのステッカーをループ状バインダーに取り付ける(好ましくは取り外し可能に取り付ける)。ここで、２つのステッカーは第１の態様のステッカーについて本明細書で定義されるようなものであり、２つのステッカーは、それぞれ、細長い取り外し可能な連結手段および／またはフィンガー部を有する;
そして、２つのステッカーは書籍のループ状バインダーに、細長い取り外し可能な連結手段および／または２つのステッカーの各々のフィンガー部を挿入することによって(より好ましくは、取り外し可能に挿入することによって)取り付けられる。
及び
【００７６】
(ii)２つのステッカーを１つまたは複数の材料片(好ましくは、シート材料および／または概ね平坦な材料)に取り付ける(好ましくは取り外し可能に取り付ける)。
ここで、２つのステッカーは、各々の粘着性の本体を材料片に取り付ける。好ましくは少なくとも部分的に接着剤、好ましくは例えば、上記で定義された接着剤で覆われた粘着性の本体の少なくとも１つの、または好ましくは１つの面を材料片に取り付けることによって(好ましくは取り外し可能に取り付けることによって)材料片に取り付けられる。
【００７７】
好ましくは、
(a)２つのステッカーは、書籍のループ状バインダーおよび材料片に取り付けられたときに、２つのステッカーのそれぞれの細長い取り外し可能な連結手段および／またはフィンガー部が互いにほぼ同じ方向に、好ましくはループ状バインダーの中心軸および／または長手方向軸にほぼ沿った方向に(例えば、２つのステッカーおよびループ状バインダーおよび材料片に関して、図６および／または図９に示されるような配置で)方向付けられる(延在する)ように成形され、接着剤で覆われ、配置される。
(b)２つのステッカーが書籍のループ状バインダーおよび材料片に取り付けられるとき、２つのステッカーのそれぞれの細長い取り外し可能な連結手段および／またはフィンガー部が互いに向かって(すなわち、両方とも、互いに対して反対方向に向けられ)、好ましくはループ状バインダーの中心軸および／または長手方向軸に概して沿った方向に向けられる(例えば、図１０および／または図１１に示されるような配置)。
【００７８】
本発明はまた、本発明の第１の態様で定義されるステッカーを製造する方法を提供する。ステッカーの製造方法は、以下の工程を含む。
(i)(特に、可撓性および／または熱可塑性材料のために、好ましくは、ローリングおよび／または押出によって)ステッカー材料のシートを形成する工程。
(ii)(任意に)(好ましくは)ステッカー材料のシートの第１の面上のいくつかの領域をマスキングする(好ましくはいくつかのほぼ平行なストリップをマスキングする、および／または好ましくはステッカー材料のシートの第１の面上で、製造されたステッカーに含まれる取り外し可能な連結手段を形成することになるステッカー材料のシートの領域をマスキングする)工程。
(iii)ステッカー材料のシートに接着剤を塗布する方法によって、および／またはステッカー材料のシートをマスキングすることによって、製造されたステッカーに含まれる取り外し可能な連結手段を形成するステッカー材料のシートの領域が、接着剤によって実質的に覆われず、製造されたステッカーに含まれる粘着性本体を形成するステッカー材料のシートの領域が接着剤によって実質的に覆われるように、ステッカー材料のシートの第１の面に接着剤を塗布する工程。
(iv)任意選択で、接着剤を少なくとも部分的に乾燥させる工程。
(v)乾燥工程(iv)の前または(好ましくは)後のいずれかに、存在する場合にはマスキングを任意に除去する工程。
(vi)任意のマスキング除去工程(v)の前または後のいずれかで、シール材料のシートを、本発明の第１の態様で定義される複数の(好ましくは5またはそれ以上、例えば10またはそれ以上、例えば50またはそれ以上の)シールに切断(好ましくは打ち抜き)する工程。
(vii)任意選択で、複数のステッカーを裏打ちシート上に、例えばプラスチックおよび／または紙、好ましくはプラスチックまたは滑らかにコーティングされた紙でできた裏打ちシート上に配置する、特にステッキングする工程。
【００７９】
製造方法はまた、１つの特定の実施形態において、１つまたは複数のステッカーを1つまたは複数のメモパッドおよび／または１つまたは複数のシートに形成することを含むことができ、メモパッドおよび／またはシートは本発明の第１の態様で定義されるように、複数の、特に重ね合わされた、または重ね合わされていない複数のステッカーおよび／またはシート(好ましくはステッカー)を含む。本発明の複数のステッカーおよび／またはシート(好ましくはステッカー)を含むメモパッドおよび／またはシートを作製する方法では、好ましくは複数のステッカーは裏打ちシートと取り外し可能に接触しているか、重ね合わされた複数のステッカーについては、底部ステッカー(好ましくはその接着面)は裏打ちシートと取り外し可能に接触している。好ましくは、裏打ちシートがプラスチックおよび／または紙の裏打ちシート(より好ましくはプラスチックまたは滑らかにコーティングされた紙の裏打ちシート)である。
【００８０】
本発明の第２の態様は、本発明の第１の態様で定義される複数の、特に重ね合わされた複数の、および／または(好ましくは)重ね合わされていない複数のステッカーおよび／またはシート(好ましくはステッカー)を含む(特に、それらから形成される)メモパッドを提供する。
好ましくは、本発明の第２の態様によるメモパッドが、本発明の第1の態様で定義されるような、5またはそれ以上、10またはそれ以上のステッカーおよび／またはシート(好ましくはステッカー)、好ましくは5またはそれ以上、10またはそれ以上の重ねられたおよび／または(好ましくは)重ねられていないステッカーおよび／またはシート(好ましくはステッカー)を含む(特に形成される)。好ましくは本発明の第２の態様によるメモパッドの場合、複数の(例えば、重ね合わされた複数のおよび／または好ましくは重ね合わされていない複数の)ステッカーは、裏打ちシートと取り外し可能に接触しているか、または(重ね合わされた複数のステッカーの場合)重ね合わされた複数のステッカーは下に重なった底部ステッカー(好ましくはその接着面)と取り外し可能に接触している。好ましくは、裏打ちシートがプラスチックおよび／または紙の裏打ちシート(より好ましくはプラスチックおよび／または滑らかにコーティングされた紙の裏打ちシート)である。
【００８１】
本発明の第２の態様はまた、重ね合わされていない複数の取り外し可能に結合可能なステッカー(特に、5またはそれ以上、または10またはそれ以上の取り外し可能に結合可能なステッカー)を含む(特に、重ね合わされていない複数のステッカーから形成される)。
ここで、重ね合わされていない複数の取り外し可能に結合可能なステッカーはループ状バインダーで結束された書籍に挿入するのに適しており、ループ状バインダーに取り外し可能に結合することができる。
【００８２】
前記複数の着脱可能に結合可能なステッカー(好ましくは、それぞれの着脱可能に結合可能なステッカー)が以下を含むものとして定義される。
(i)リングノートのバインダーに取り外し可能に結合されることができる取り外し可能な連結手段。
(ii)材料片に取り付けるための粘着性の本体。
そして、取り外し可能に結合可能なステッカーは、本のループ状バインダーに材料片を取り付けるためのアタッチメントとして機能することができる。
【００８３】
好ましくは本発明の第２の態様のメモパッドにおいて、複数のステッカー(好ましくは重ね合わされていない複数のステッカー)が裏打ちシートと取り外し可能に接触している。より好ましくは裏打ちシートがプラスチックおよび／または紙の裏打ちシートであり、さらにより好ましくはプラスチックおよび／または滑らかにコーティングされた紙の裏打ちシートである。
【００８４】
好ましくは、複数のステッカーおよび／または複数の着脱可能に結合可能なステッカーにおいて、取り外し可能な連結手段は細長く、リング状バインダーに着脱可能に結合することができるフィンガー部を含む。
【００８５】
好ましくは本発明の第２の態様のメモパッドについて、複数のステッカーおよび／または複数の取り外し可能に結合可能なステッカーにおいて、ステッカーの本体はシートの形態であり、および／または概して平面であり、または好ましくはステッカーの本体が可撓性プラスチックまたは紙のシートなどの可撓性シートの形態であり、またはより好ましくはステッカーの本体が可撓性プラスチックシートの形態である。
【００８６】
好ましくは本発明の第２の態様のメモパッドについて、複数のステッカーおよび／または複数の取り外し可能に結合可能なステッカーにおいて、ステッカー本体は本体のシートの少なくとも１つの(好ましくは１つの)面上および／または概して平坦な本体の少なくとも１つの(好ましくは１つの)面上の接着剤によって少なくとも部分的に覆われる、ステッカーの本体を含むか、またはステッカーの本体が少なくとも部分的に覆われる。好ましくは、接着剤が本明細書で定義される通りであり、特に、接着剤は好ましくは本発明の第１の態様において定義される通りである。
【００８７】
好ましくは、本発明の第２の態様のメモパッドでは複数のステッカーおよび／または複数の着脱可能に結合可能なステッカーにおいて、ステッカーの取り外し可能な連結手段は接着剤によって覆われない。
【００８８】
好ましくは本発明の第２の態様のメモパッドについて、複数のステッカーおよび／または複数の取り外し可能に結合可能なステッカーは、本発明の第１の態様において定義されるステッカーである。
【００８９】
本発明の第３の態様は、本発明の第１の態様による、１つ、２つ、またはそれ以上のステッカー(好ましくは２つのステッカー)を含む組み合せを提供し、１つ、２つ、またはそれ以上のステッカー(好ましくは２つのステッカー)は、その粘着性本体を介して材料片に取り付けられる。
ここで、１つ、２つ、またはそれ以上のステッカー(好ましくは２つのステッカー)は、取り外し可能な連結手段および／または挿入部材を介して(好ましくは細長い取り外し可能な連結手段および／または挿入部材を介して、例えば、フィンガー部を介して)、リング状バインダーに取り付けられる(典型的には挿入される)。
【００９０】
好ましくは本発明の第３の態様が、１つ、２つ、またはそれ以上のステッカー(好ましくは２つのステッカー)を含む組み合せを提供し、１つ、２つ、またはそれ以上のステッカー(好ましくは２つのステッカー)はその粘着性本体を介して材料片に取り付けられる。
ここで、任意選択で、１つ、２つ、またはそれ以上のステッカー(好ましくは２つのステッカー)も、特に、取り外し可能な連結手段および／または挿入部材を介して(好ましくは細長い取り外し可能な連結手段および／または挿入部材を介して、例えば、フィンガー部を介して)、ループ状バインダーに取り付けられる。
【００９１】
好ましくは、本発明の第３の態様では、組み合せは２つのステッカーを含む。
(a)２つのステッカーは、書籍のループ状バインダーおよび材料片に取り付けられたときに、それぞれの細長い取り外し可能な連結手段および／またはフィンガー部が互いにほぼ同じ方向に、好ましくはループ状バインダーの中心軸および／または長手方向軸にほぼ沿った方向に(例えば、２つのステッカーおよびループ状バインダーおよび材料片に関して、図６および／または図９に示されるような配置で)向けられる(延在する)ように、成形され、接着剤で覆われ、配置される。
(b)２つのステッカーが書籍のループ状バインダーおよび材料片に取り付けられるとき、２つのステッカーのそれぞれの細長い取り外し可能な連結手段および／またはフィンガー部互いに向かって方向付けられる(すなわち、両方とも、互いに向かって反対方向に方向付けられる)ように、好ましくはループ状バインダーの中心軸および／または長手方向軸に概して沿った方向に(例えば、図１０および／または図１１に示されるような方向に)配置される。
【００９２】
好ましくは、本発明の第１、第２、および／または第３の態様、および／またはその実施形態では、材料片がシートおよび／または概ね平坦な材料片を含み、より好ましくは材料片が紙片、封筒および／またはプラスチックシート、および／または織物材料片を含む。好ましくは、材料は可撓性であり、より好ましくは材料が紙片(通常は可撓性)、封筒(通常は可撓性)、および／または可撓性プラスチックシート、および／または可撓性織物材料片を含む。
【００９３】
好ましくは、本発明の第２および第３の態様およびその実施形態では、メモパッドおよび／またはシートおよび／または組み合せは、本発明の第１の態様のステッカーおよび／または方法に関して説明したような、１つまたは複数の好ましい特徴を含むが、これらに限定されず、必要な変更がなされる。
【００９４】
本発明の第４の態様はノートブック(例えば、ワークブック)またはシステム手帳のような、ループ状バインダー(好ましくは、螺旋状、リング状、櫛状またはワイヤバインダー)を有する本のために特に設計された(すなわち、適合された)ブックインサートおよび／またはブックマーク、特に、多目的ブックマークに関する。
【００９５】
本発明の第４の態様はまた、特に積み重なったページをマーキングするため、および／または他の用途のために、バインダーに取り外し可能に結合することができるブックインサートに関する。
【００９６】
また、本発明の第４の態様は、リング状バインダー(好ましくは、開閉リング状バインダー)、螺旋状バインダー、櫛状バインダー、コイル状のワイヤバインダー、（例えば、ワークブックまたはシステム手帳)の頁に印を付けるためのブックインサートおよび／またはブックマークおよび／または分割器および／または装置に関する。
【００９７】
好ましくは、本発明の第４の態様が以下を提供する:
ループバインダー(例えば、開閉リング状バインダー、螺旋状バインダー)と共に使用するのに適した、および／またはブックマークとして機能するのに適したブックインサートは以下を含む。
第１および第２の取り外し可能な連結手段(特に、第１および第２の挿入部材、好ましくは狭くおよび／または細長い挿入部材)に概ね平行に整列される本体(好ましくは細長い、例えば、概ね矩形の本体)であって、第１の取り外し可能な連結手段は、本体の上部および／または本体の側縁にほぼ平行な方向に連続し(すなわち、延在および／または突出し)、(i)ブックマークおよび／またはインサートの本体と、(ii)第１の取り外し可能な連結手段との間に第１の間隙を形成し、第１の間隙はループ状バインダーを受容するように適切に寸法決めされる。
【００９８】
第２の取り外し可能な連結手段は本体の下部から、本体の側縁にほぼ平行な方向に連続(すなわち、延在および／または突出)し、(i)ブックマークおよび／またはブックインサートの本体と、(ii)第２の取り外し可能な連結手段との間に第２の間隙を形成し、第２の間隙はループ状バインダーを受容する寸法を有する。
【００９９】
前記第１の取り外し可能な連結手段は、以下の(J)で定義され、第２の取り外し可能な連結手段が以下の(K)で定義され、ブックインサートは以下の(L)および／または(M)で定義されるとおりである。
(J)第１の取り外し可能な連結手段は細長く、ループ状バインダーに取り外し可能に結合することができる第１のフィンガー部を含む。
第１のフィンガー部は本体および／または本体の側面(特に隣接する側面)にほぼ平行に配列され、第１のフィンガー部と本体との間に第１の間隙を形成し、第１の間隙は書籍のループ状バインダーを受容するように構成され、(J1)第１のフィンガー部は1．5〜6mm、好ましくは1．5〜5mm、または2〜5mm、より好ましくは2〜4．5mm、より好ましくは2〜4mm、さらに好ましくは2．5〜4mm、または2．5〜3．5mm、最も好ましくは3．5mm、または最も好ましくは約3mmの幅を有する。
および／または
【０１００】
(J2)第１のフィンガー部は、5〜45mmまたは5〜30mmまたは5〜25mmまたは5〜20mmまたは5〜16mmまたは5〜14mm、好ましくは7〜45mmまたは7〜30mmまたは7〜25mmまたは7〜20mmまたは7〜16mmまたは7〜45mmまたは9〜40mm、9〜30mmまたは9〜25mmまたは9〜20mmまたは9〜16mmまたは9〜14mm、さらに好ましくは12〜25mmまたは12〜16mmまたは12〜14mm、および／または特に好ましくは14〜25mmの長さを有する。特に、14〜20mmまたは14〜16mm、および／または例えば好ましくは16〜25mm(好ましくは16〜20mm)；および／または最も好ましくは7mm、9〜12mm、12〜14mm、14〜16mm(特に14mm、15mmまたは16mm)、16〜20mm、または約20mm(特に20mm)である。
ここで、第１のフィンガー部の長さは、(i)第１のフィンガー部の先端から(ii)第１の間隙の最も内側の部分(好ましくはすなわち、長手方向に最も内側の部分)まで(すなわち、(i)第１のフィンガー部の先端から(ii)第１のフィンガー部の内側縁、または第１のフィンガー部を本体に接続する第１のステム部分の内側縁が本体から延在および／または突出する点まで)、第1のフィンガー部分の長手方向軸に平行な方向および／または本体の隣接縁に平行な方向に測定する。
および／または
【０１０１】
(J3)第１のフィンガー部と本体との間に形成され、本のループ状バインダー(好ましくは螺旋状またはリング状バインダー)を受けるように適合された第１の間隙は、以下のように定義される。
第１ギャップは、1．5〜8mm、1．5〜7mm、1．5〜6mm、1．5〜5mm、好ましくは2〜7mm、2〜6mm、2〜5mm、2〜4．5mm、より好ましくは2．5〜6mm、2．5〜6mm、2．5〜5mm、2．5〜4mm、2．5〜4mm、さらに好ましくは3〜6mm、3〜5mm、3〜4.5mm、3〜4mm、最も好ましくは3．5〜4mm、最も好ましくは3．5〜4mm、特に約3．8mm(特に3．8mm)の幅を有する。
および／または
【０１０２】
(K)第2の取り外し可能な連結手段は細長く、ループ状バインダーに取り外し可能に結合することができる第２のフィンガー部を含む。
第２のフィンガー部は本体および／または本体の側面(特に隣接する側面)にほぼ平行に配列され、第２のフィンガー部と本体との間に第２の間隙を形成し、第２の間隙は書籍のループ状バインダーを受け入れるように構成される。
(K1)第２のフィンガー部が1．5〜6mm、好ましくは1．5〜5mmまたは2〜5mm、より好ましくは2〜4．5mmまたは2〜4mm、さらに好ましくは2．5〜4mmまたは2．5〜3．5mmまたは最も好ましくは2．5〜3．5mmまたは最も好ましくは3．5mmの幅を有する。
および／または
【０１０３】
(K2)第２のフィンガー部は、5〜30mm(好ましくは5〜25mmまたは5〜16mmまたは5〜14mmまたは5〜12mmまたは5〜12mmまたは5〜9mmまたは5〜30mm、好ましくは7〜25mmまたは7〜20mmまたは7〜14mmまたは7〜12mmまたは7〜9mm、より好ましくは9〜30mm(好ましくは9〜25mmまたは9〜20mmまたは9〜16mmまたは9〜14mmまたは9〜12mm)；例えば好ましくは5mm、7mm、9mm、12mm、14mm、15mm、16mm、5〜7mm、7〜9mm、9mm〜12mm、12mm〜14ｍｍ、14〜16mm、16〜20mm、または約20mm(特に20mm)；および／またはさらに好ましくは5〜20mm、または5〜14mm、または5〜12mm、または5〜9mm、および／またはさらに好ましくは7〜20mm、または7〜16mm、または7〜14mm、または7〜12mm、または7〜9mm；および／または最も好ましくは約9mm（特に9ｍｍ）の長さを有する。
ここで、第２のフィンガー部の長さは、(i)第２のフィンガー部の先端から(ii)第２の間隙の最も内側の部分(長手方向に最も内側の部分)まで(すなわち、(i)第２のフィンガー部の先端から(ii)第２のフィンガー部の奥端、または第２のフィンガー部を本体に接続する第２のステム部分の内側縁が本体から延在および／または突出する点まで)の距離を、第２のフィンガー部の長手方向軸に平行な方向および／または本体の隣接縁に平行な方向に測定する。
および／または
【０１０４】
(K3)第２のフィンガー部は第２のステム部分を介して本体に(好ましくは一体的に)接続され、第２のステム部分の基部は本体から離れる方向に、特に本体に対して概ね垂直に、かつ本体から離れる方向に、例えば本体の隣接する側から離れる方向に延びる。
第２のステム部分の基部の幅は、2〜7mm、好ましくは2〜6mm、2〜5mm、より好ましくは2．5〜6mm、2．5〜5mm、2．5〜4．5mm、2．5〜4mm、さらに好ましくは3〜5mm、3〜4．5mm、3〜4mm、最も好ましくは3〜約3．5mm、特に約3．5mmである。
および／または
【０１０５】
(K4)第２のフィンガー部と本体との間に形成され、書籍のループ状バインダー(好ましくは螺旋状またはリング状バインダー)を受け入れるように適合された第２の間隙は、以下のように定義される。
第２の間隙は、1．5〜8mm、1．5〜7mm、1．5〜6mm、1．5〜5mm、好ましくは2〜7mm、2〜6mm、2〜5mm、2〜4．5mm、より好ましくは2．5〜6mm、2．5〜6mm、2．5〜5mm、2．5〜4．5mm、2．5〜4mm、さらに好ましくは3〜6mm、3〜5mm、3〜4．5mm、3〜4mm、最も好ましくは3．5〜4mm、特に約3．8mm(特に3．8mm)の幅を有する。
および／または
【０１０６】
(L)ブックインサートは、書籍のユーザーに対する情報(好ましくは書かれた情報)、および／またはマークされたページに関連する情報（例えば、主題、コンテンツ、タイトル)を指し示して得るためのものであり、ブックインサートのトップおよび／またはトップ部分、および第１の取り外し可能な連結手段は、ループ状バインダーの最上部ループに挿入された後、ループ状バインダーが閉じられ、ブックインサートのトップおよび／またはトップ部分の少なくとも一部が書籍の幅または上端から外側に突出したときに、外側に突出する部分がその周囲領域の一部または全部から区別されるように、色および／またはパターンによって視覚的に区別される区画領域を有する。
【０１０７】
ここで、ブックインサートの上部および／または上部の区画領域は、書籍のユーザーに対する使用情報{好ましくはユーザーによって追加される書面情報；および／または好ましくは例えば、ブックインサートによってマークされた書籍のページに関連する(例えば、その件数、および／またはその主題、内容、および／またはタイトルの)書面情報}を指し示して得るために用いられる。
および／または
【０１０８】
(M)好ましくは、ブックインサートは、本体、例えば細長い本体および／または概ね矩形の本体の、好ましくはいくつかのまたはすべての角(より好ましくは４つの角のそれぞれ)に隣接したおよび／または内側の部分に、複数の(好ましくは２つの)横方向に向けられたスリットを備える。
ここで、複数の横方向スリットは(好ましくは複数の横方向スリットのうちの１つ以上、好ましくは、２つ、例えば、全てによって)ブックインサートの本体上に取り外し可能に貼り付けることができる紙のシート(スリップ)を収容および／または定位置に保持するための挿入点として働く。
【０１０９】
好ましくは特徴(M)において、紙の任意のまたは取り外し可能に取り付けられるシート(スリップ)は、本のユーザーが、好ましくは書かれた情報、特に、ユーザーによって追加されるべき書かれた情報を指し示して得るためのものであり、このようにして、特徴(M)は、好ましくはブックインサートにブックマークと書き込み手段の両方の機能を果たさせることができる。
【０１１０】
好ましくは特徴(M)を介して、ブックインサートは、ブックマークおよび／または仕切りであることに加えて、ノートメモパッドまたは紙として機能することができる。
特に好ましくは例えば、ループ状のバインダー(例えば、螺旋状またはリング状バインダー)書籍のためのブックマークとして作用する前記ブックインサートに加えて、ブックインサートの本体は、いくつかまたはすべてのコーナー(好ましくは４つのコーナーのそれぞれ)の隣接したおよび／または内側の部分に、複数(好ましくは２つまたは４つ)のスリットが形成される。
これらのスリットはブックインサートの本体(例えば、細長い本体および／または概ね矩形の本体)上に(好ましくはスリットの1つまたは複数、例えば、すべてを介して)取り外し可能に取り付けることができる紙のスリップ(シート)のための挿入点として機能する。
紙のスリップ(シート)は例えば、後に記憶されるべき重要な点または注釈を書き込むため、または単に備忘録として、または日々のスケジュールを表にするため、などに適している。
【０１１１】
好ましくは、本発明の第４の態様はまた、以下を提供する:
複数の(好ましくは３つ以上、好ましくは４つ以上、５つ以上、６つ以上、または７つ以上の)仕切りおよび／またはブックインサート(典型的にはブックインサートの組み合せ)であって、互いに重なり合う様々な幅を有する仕切りおよび／またはブックインサートは複数の仕切りとして機能するように働き、ユーザーが仕切りを(好ましくはすべての仕切りを個々に)見ることができるようになっており、複数の仕切りおよび／またはブックインサートは、これにより、本の異なるページ(複数の異なるページ)をマーキングするための手段として使用することができる。
好ましくは、ブックインサート／ブックインサートの組み合わせ／仕切りに使用される材料が可撓性プラスチックまたは紙のシート(好ましくは複数の薄いシート)であるか、または厚紙から作製される。
【０１１２】
好ましくは本発明の第４の態様では、ブックインサート、ブックマーク、仕切りおよび／またはデバイスは、本発明の第１の態様のステッカーおよび／または方法に関して説明されるような、および／または本発明のメモパッドおよび／またはシートおよび／または第２の態様および／または第３の態様の組み合せに関して説明されるような、および／またはこれらのいずれかの実施形態で説明されるような、1つまたは複数の構成含むことが好ましい。
したがって、好ましくは本発明の第４の態様および／またはその実施形態ではブックインサートは本明細書で、特に以下で定義されるとおりである。
【０１１３】
好ましくは、本発明の第４の態様および／またはその実施形態では、第１の取り外し可能な連結手段(第１の挿入部材など)は細長くおよび／または狭い。
好ましくは、本発明の第４の態様および／またはその実施形態では、第１の取り外し可能な連結手段(好ましくは細長い、および／または好ましくは第１の挿入部材)が本体の上部から、またはそれに隣接して連続する(すなわち、延在する、および／または突出する)。
好ましくは本発明の第４の態様および／またはその実施形態では、第１の取り外し可能な連結手段(好ましくは細長い、および／または好ましくは第１の挿入部材)は本体および／または本体の側面(好ましくは隣接する側面)にほぼ平行に位置合わせされる。
【０１１４】
好ましくは本発明の第４の態様および／またはその実施形態では、第１の取り外し可能な連結手段(好ましくは細長いおよび／または好ましくは第１の挿入部材)と本体との間に第１の間隙を形成し、第１の間隙は書籍のループ状バインダーを受容する(および／またはその内側に挿入される)ように適合される。
【０１１５】
好ましくは、第４の態様および／またはその実施形態では、第１の取り外し可能な連結手段(好ましくは第１の挿入部材)は細長く、ループ状バインダーに取り外し可能に結合することができる第１のフィンガー部を含む。
好ましくは第１のフィンガー部が本体および／または本体の側面(例えば、隣接する側面)にほぼ平行に整列され、および／または好ましくは第１のフィンガー部が第１のステム部分(この場合、好ましくは第１のステム部分の基部が本体から離れる方向に、特に、本体からほぼ垂直に離れる方向に、例えば、本体の側面、例えば、本体の隣接する側面から概して離れる)を介して本体に結合される。
【０１１６】
特に好ましくは、第４の態様および／またはその実施形態では、第１の取り外し可能な連結手段は細長く、ループ状バインダーに取り外し可能に結合することができる第１のフィンガー部を含む。
第１のフィンガー部は本体および／または本体の側面(特に隣接する側面)にほぼ平行に整列され、第１のフィンガー部(細長い第１の取り外し可能な連結手段の)と本体との間に第１の間隙を一緒に形成し、第１の間隙は本のループ状バインダー(好ましくは螺旋状またはリング状バインダー)を受けいれるように適合され、第１のフィンガー部は1．5〜6mm、好ましくは1．5〜5mm、または2〜5mm、より好ましくは2〜4．5mm、または2〜4mm、さらにより好ましくは2．5〜4mm、または2．5〜3．5mm、または最も好ましくは、約3mm幅を有する。
および／または
【０１１７】
第１のフィンガー部分は5〜45mmまたは5〜30mmまたは5〜25mmまたは5〜20mmまたは5〜16mmまたは5〜14mmまたは7〜45mmまたは7〜30mmまたは7〜25mmまたは7〜20mmまたは7〜16mmまたは7〜16mmまたは7〜45mmまたは9〜45mmまたは9〜30mmまたは9〜25mmまたは9〜20mmまたは9〜16mmまたは9〜14mm)、さらに好ましくは12〜30mm(好ましくは12〜25mmまたは12〜16mmまたは12〜14mm)、および／または特に好ましくは14〜25mm(好ましくは14〜20)の長さを有する。例えば、16〜25mm(好ましくは16〜20mm)、および／または最も好ましくは7mm、9〜12mm、14〜16mm(特に、14mm、15mm、または16mm)、または約20mm(特に、20mm)の長さを有する。
ここで、第１のフィンガー部の長さは、(i)第１のフィンガー部の先端から(ii)第１のフィンガー部分と本体との間の第１の間隙の最も奥側の部分(すなわち、長手方向に最も内側の部分)まで(および／または(i)第１のフィンガー部の先端から(ii)第１のフィンガー部の奥端、または第１のフィンガー部を本体に接続する第１のステム部分の内側縁が本体から延在および／または突出する点まで)、第１のフィンガー部の長手方向軸に平行な方向および／または本体の隣接縁に平行な方向に測定する。
【０１１８】
特に好ましい実施形態では、第１のフィンガー部が第１のステム部分を介して本体に(好ましくは一体的に)接続され、この場合、さらにより好ましくは第１のステム部分の基部が本体から離れる方向に、特に、本体に対して概して垂直に、かつ本体から離れる方向に、例えば、本体の側面から離れる方向に延びる。好ましくは第１のステム部分の基部の幅が2〜7mm、好ましくは2〜6mm、又は2〜5mm、より好ましくは2．5〜6mm、又は2．5〜5mm、又は2．5〜4．5mm、更に好ましくは3〜5mm、3〜4．5mm、又は3〜4mm、又は最も好ましくは約3．5mmである。
【０１１９】
特に好ましくは、本発明の第４の態様および／またはその実施形態(特に好ましくは、第１のフィンガー部の寸法、特に幅および／または長さに関する、および／または特に第１のステム部分の基部の幅に関する)において、第１のフィンガー部と本体との間に形成され、本のループ状バインダー（好ましくは螺旋状バインダー)を受け入れるように適合された第１の間隙は以下のように定義される。
第１の間隙は、1．5〜8mm、1．5〜7mm、1．5〜6mm、1．5〜5mm、好ましくは2〜7mm、2〜6mm、2〜5mm、2〜4．5mm、より好ましくは2．5〜6mm、2．5〜5mm、2．5〜4．5mm、2．5〜4mm、さらに好ましくは3〜6mm、3〜5mm、3〜4mm、最も好ましくは3．5〜4mm、最も好ましくは3．5〜4mm、特に約3．8mm(特に3．8mm)の幅を有する。
【０１２０】
好ましくは、第４の態様および／またはその実施形態では、第１の取り外し可能な連結手段は細長く、ループ状バインダーに取り外し可能に結合することができる第１のフィンガー部を含む:
第１のフィンガー部は本体および／または本体の側面(特に隣接する側面)にほぼ平行に配置され、好ましくは第１のフィンガー部が第１のステム部分を介して本体に(好ましくは一体的に)接続される。
【０１２１】
特に好ましくは、本発明の第４の態様および／またはその実施形態では、第１のステム部分の外縁および／または細長い第１の取り外し可能な連結手段の外縁(すなわち、第１のフィンガー部と本体との間に形成された第１の間隙から離れて面する縁)は、第１のステム部分の基部において、本体から離れて(好ましくは概ね垂直に)延在し、次いで、第１のフィンガー部の先端に向かって外方へ凸に湾曲する。より好ましくは、第１のステム部分の湾曲した外縁が(i)第１のステム部分の基部において本体から離れるように(好ましくは概ね垂直に)延在し、(ii)第１のフィンガー部を(好ましくは一体的に)第１のフィンガー部分の長手方向軸に概ね平行な方向に接合する。第１のステム部分および／または細長い第１の取り外し可能な連結手段のこの湾曲した外縁は、特に螺旋状に束ねられた、リング状に束ねられた、または櫛状に束ねられた本のための、ループ状バインダーの2つの隣接するループの間への第１のフィンガー部(および／または細長い第１の取り外し可能な連結手段)の円滑な挿入を容易にすることが分かっている。
【０１２２】
特に好ましくは、第１のステム部分の外縁および／または細長い第１の取り外し可能な連結手段の外縁(すなわち、(i)本体と(ii)第１のフィンガー部および／または細長い第１の取り外し可能な連結手段との間に形成された第１の間隙とは反対側の縁)は第１のフィンガー部の１つまたは複数の外側の先端に向かって方向付けられるか、または本体から離れて(好ましくは概ね垂直に)延在し、次いで第１のフィンガー部の１つまたは複数の外側の先端に向かって方向付けられる。第１のステム部分および／または細長い第１の取り外し可能な連結手段の外縁のこの逆方向に反転しない形状は、特に螺旋状に綴じられた、リング状に綴じられた、または櫛状に綴じられた書籍のためのループ状バインダーの隣接する２つのループの間への第１のフィンガー部(および／または細長い第１の取り外し可能な連結手段)の円滑な挿入を容易にすることが一般に見出されている。
【０１２３】
特に好ましくは、第１のステム部分(および／または細長い第１の取り外し可能な連結手段)の外縁が第１のフィンガー部の先端から遠ざかる逆向きの突起または縁を含まない。これにより、(好ましくは、細長い)第１の取り外し可能な連結手段(好ましくは第１のステム部分および／または第１のフィンガー部)がリングノート内の２つの隣り合うループの間に、特に、螺旋状バインディングブック内に挿入されるときに、ループ状バインダー、特に、螺旋状バインダーに引っかからない。この構成は逆向きの突起を有するフィンガー部を開示した特許文献５に記載のものの改良であり、これはリング製本された本には合理的に機能するが、螺旋綴じの(コイル製本)の本では挿入および／または取り外し中に引っかかることが多いので、うまく機能しない。
好ましくは、第１の取り外し可能な連結手段(好ましくは第１の挿入部材；および／または好ましくは第１のフィンガー部および／または第１のステム部分；さらにより好ましくは第１のフィンガー部および第１のステム部分)が本体と一体的に形成される。
【０１２４】
好ましくは、本発明の第４の態様および／またはその実施形態では、第２の取り外し可能な連結手段(第２の挿入部材など)は細長くおよび／または狭い。
好ましくは、本発明の第４の態様および／またはその実施形態では、第２の取り外し可能な連結手段(好ましくは細長い、および／または好ましくは第２の挿入部材)が本体の上部から、またはそれに隣接して連続する(すなわち、延在する、および／または突出する)。
好ましくは本発明の第４の態様および／またはその実施形態では、第２の取り外し可能な連結手段(好ましくは細長い、および／または好ましくは第２の挿入部材)は本体および／または本体の側面(好ましくは隣接する側面)にほぼ平行に位置合わせされる。
【０１２５】
好ましくは本発明の第４の態様および／またはその実施形態では、第２の取り外し可能な連結手段(好ましくは細長いおよび／または好ましくは第２の挿入部材)と本体との間に第２の間隙を形成し、第２の間隙は書籍のループ状バインダーを受容する(および／またはその内側に挿入される)ように適合される。
【０１２６】
好ましくは、第4の態様および／またはその実施形態では、第２の取り外し可能な連結手段(好ましくは第２の挿入部材)は細長く、リングノートのバインダーに取り外し可能に結合することができる第２のフィンガー部を含む。好ましくは第２のフィンガー部が本体および／または本体の側面(例えば、隣接する側面)にほぼ平行に整列され、および／または好ましくは第２のフィンガー部が第２のステム部分(この場合、好ましくは第２のステム部分の基部が本体から離れる方向に、特に、本体からほぼ垂直に離れる方向に、例えば、本体の側面、例えば、本体の隣接する側面から概して離れる)を介して本体に結合される。
【０１２７】
特に好ましくは、第４の態様および／またはその実施形態では、第２の取り外し可能な連結手段は細長く、ループ状バインダーに取り外し可能に結合することができる第２のフィンガー部を含む。
第２のフィンガー部は本体および／または本体の側面(特に隣接する側面)にほぼ平行に整列され、第２のフィンガー部(細長い第２の取り外し可能な連結手段の)と本体との間に第２の間隙を一緒に形成し、第２の間隙は本のループ状バインダー(好ましくは螺旋状またはリング状バインダー)を受けいれるように適合され、第２のフィンガー部は1．5〜6mm、好ましくは1．5〜5mm、または2〜5mm、より好ましくは2〜4．5mm、または2〜4mm、さらにより好ましくは2．5〜4mm、または2．5〜3．5mm、または最も好ましくは、約3mm幅を有する。
および／または
【０１２８】
第２のフィンガー部分は5〜45mmまたは5〜30mmまたは5〜25mmまたは5〜20mmまたは5〜16mmまたは5〜16mmまたは5〜14mmまたは5〜14mmまたは7〜45mmまたは7〜30mmまたは7〜25mmまたは7〜20mmまたは7〜16mmまたは7〜45mmまたは9〜45mmまたは9〜30mmまたは9〜30mmまたは9〜25mmまたは9〜20mmまたは9〜16mmまたは9〜14mm、さらに好ましくは12〜30mm(好ましくは12〜25mmまたは12〜16mmまたは12〜14mm)、および／または特に好ましくは14〜25mm(好ましくは14〜20mm)の長さを有する。例えば、16〜25mm(好ましくは16〜20mm)、および／または最も好ましくは7mm、9〜12mm、14〜16mm(特に、14mm、15mm、または16mm)、または約20mm(特に、20mm)の長さを有する。
ここで、第２のフィンガー部の長さは、(i)第２のフィンガー部の先端から(ii)第２のフィンガー部分と本体との間の第２の間隙の最も奥側の部分(すなわち、長手方向に最も内側の部分)まで(および／または(i)第２のフィンガー部の先端から(ii)第２のフィンガー部の奥端、または第２のフィンガー部を本体に接続する第２のステム部分の内側縁が本体から延在および／または突出する点まで)、第２のフィンガー部の長手方向軸に平行な方向および／または本体の隣接縁に平行な方向に測定する。
【０１２９】
特に好ましい実施形態では、第２のフィンガー部が第２のステム部分を介して本体に(好ましくは一体的に)接続され、この場合、さらにより好ましくは第２のステム部分の基部が本体から離れる方向に、特に、本体に対して概して垂直に、かつ本体から離れる方向に、例えば、本体の側面から離れる方向に延びる。好ましくは第２のステム部分の基部の幅が2〜7mm、好ましくは2〜6mm、又は2〜5mm、より好ましくは2．5〜6mm、又は2．5〜5mm、又は2．5〜4．5mm、更に好ましくは3〜5mm、3〜4．5mm、又は3〜4mm、又は最も好ましくは約3．5mmである。
【０１３０】
特に好ましくは、本発明の第４の態様および／またはその実施形態(特に好ましくは、第２のフィンガー部の寸法、特に幅および／または長さに関する、および／または特に第２のステム部分の基部の幅に関する)において、第２のフィンガー部と本体との間に形成され、本のループ状バインダー（好ましくは螺旋状バインダー)を受け入れるように適合された第２の間隙は以下のように定義される。
第２の間隙は、1．5〜8mm、1．5〜7mm、1．5〜6mm、1．5〜5mm、好ましくは2〜7mm、2〜6mm、2〜5mm、2〜4．5mm、より好ましくは2．5〜6mm、2．5〜6mm、2．5〜5mm、2．5〜4．5mm、2．5〜4mm、さらに好ましくは3〜6mm、3〜5mm、3〜4mm、最も好ましくは3．5〜4mm、特に約3．8mm(特に3．8mm)の幅を有する。
【０１３１】
好ましくは、第４の態様および／またはその実施形態では、第２の取り外し可能な連結手段は細長く、ループ状バインダーに取り外し可能に結合することができる第２のフィンガー部を含む:
第２のフィンガー部は本体および／または本体の側面(特に隣接する側面)にほぼ平行に配置され、好ましくは第２のフィンガー部が第２のステム部分を介して本体に(好ましくは一体的に)接続される。
【０１３２】
特に好ましくは、本発明の第４の態様および／またはその実施形態では、第２のステム部分の外縁および／または細長い第２の取り外し可能な連結手段の外縁(すなわち、第２のフィンガー部と本体との間に形成された第２の間隙から離れて面する縁)は、第２のステム部分の基部において、本体から離れて(好ましくは概ね垂直に)延在し、次いで、第２のフィンガー部の先端に向かって外方へ凸に湾曲する。より好ましくは、第２のステム部分の湾曲した外縁が(i)第２のステム部分の基部において本体から離れるように(好ましくは概ね垂直に)延在し、(ii)第２のフィンガー部を(好ましくは一体的に)第２のフィンガー部分の長手方向軸に概ね平行な方向に接合する。第２のステム部分および／または細長い第２の取り外し可能な連結手段のこの湾曲した外縁は、特に螺旋状に束ねられた、リング状に束ねられた、または櫛状に束ねられた本のための、ループ状バインダーの２つの隣接するループの間への第２のフィンガー部(および／または細長い第２の取り外し可能な連結手段)の円滑な挿入を容易にすることが分かっている。
【０１３３】
特に好ましくは、第２のステム部分の外縁および／または細長い第２の取り外し可能な連結手段の外縁(すなわち、(i)本体と(ii)第２のフィンガー部および／または細長い第２の取り外し可能な連結手段との間に形成された第２の間隙とは反対側の縁)は第２のフィンガー部の１つまたは複数の外側の先端に向かって方向付けられるか、または本体から離れて(好ましくは概ね垂直に)延在し、次いで第２のフィンガー部の１つまたは複数の外側の先端に向かって方向付けられる。第２のステム部分および／または細長い第２の取り外し可能な連結手段の外縁のこの逆方向に反転しない形状は、特に螺旋状に綴じられた、リング状に綴じられた、または櫛状に綴じられた書籍のためのループ状バインダーの隣接する２つのループの間への第２のフィンガー部(および／または細長い第２の取り外し可能な連結手段)の円滑な挿入を容易にすることが一般に見出されている。
【０１３４】
特に好ましくは、第２のステム部分(および／または細長い第２の取り外し可能な連結手段)の外縁が第２のフィンガー部の先端から遠ざかる逆向きの突起または縁を含まない。これにより、(好ましくは、細長い)第２の取り外し可能な連結手段(好ましくは第２のステム部分および／または第２のフィンガー部)がリングノート内の２つの隣り合うループの間に、特に、螺旋状バインディングブック内に挿入されるときに、ループ状バインダー、特に、螺旋状バインダーに引っかからない。この構成は逆向きの突起を有するフィンガー部を開示した特許文献５に記載のものの改良であり、これはリング製本された本には合理的に機能するが、螺旋綴じの(コイル製本)の本では挿入および／または取り外し中に引っかかることが多いので、うまく機能しない。
好ましくは、第２の取り外し可能な連結手段(好ましくは第２の挿入部材；および／または好ましくは第２のフィンガー部および／または第２のステム部分；さらにより好ましくは第２のフィンガー部および第２のステム部分)が本体と一体的に形成される。
【０１３５】
本明細書では、本発明のすべての態様および／または実施形態について、すべての特徴を任意に組み合わせることができ、それらは必要な変更を加えて、本発明の異なる態様に適用されるか、またはそれらに関して開示される。
【発明の効果】
【０１３６】
本発明によれば、以下の効果を発揮することができる。
利便性、デザインが改善される。
ブックインサート、ブックマークおよび／または装置によってマークされた書籍のページに関連する情報を示すことができる。
容易に且つ効率的に製造および販売することができる。
耐久性があり、信頼性のある構造である。
複数の機能を有し、書籍の頁をマーキングするブックマークとして、およびポイントまたはノートを書き込むための手段として機能する。
【０１３７】
加えて、定規や分度器に取り付けることにより、幾何学的測定装置として機能する。
【図面の簡単な説明】
【０１３８】
【図１】本発明の実施例１を示すステッカーの平面図である。
【図２】本発明の実施例２を示すステッカーの平面図である。
【図３】本発明の実施例３を示すステッカーの使用状態における平面図である。
【図４】本発明の実施例４を示す、測定装置(定規)として機能するインサートまたはブックマークの平面図である。
【図５】本発明の実施例５を示す測定装置(分度器)として機能するインサートまたはブックマークの平面図である。
【図６】本発明の実施例６を示す種々の材料のためのアタッチメントとして機能するステッカーの使用状態における平面図である。
【図７】本発明の実施例７を示すブックインサート（ステッカー)の平面図である。
【図８】本発明の実施例８を示すブックインサート（ステッカー)の平面図である。
【図９】本発明の実施例８のブックインサート（ステッカー)の使用例を示す平面図である。
【図１０】本発明の実施例８のブックインサート（ステッカー)の他の使用例を示す平面図である。
【図１１】本発明の実施例８のブックインサート（ステッカー)のさらに他の使用例を示す平面図である。
【図１２】本発明の実施例９を示す仕切り(ステッカー)及び用紙の分解平面図である。
【図１３】本発明の実施例９を示し、（Ａ）は用紙取り付け前の仕切り(ステッカー)の平面図、（Ｂ）は用紙取り付け後の仕切り(ステッカー)の平面図である。
【図１４】本発明の実施例１０を示し、（Ａ）は用紙取り付け前の仕切り(ステッカー)の平面図、（Ｂ）は用紙取り付け後の仕切り(ステッカー)の平面図である。
【図１５】本発明の実施例１０を示す仕切り(ステッカー)の、様々な用紙を取り付けた状態の平面図である。
【図１６】本発明の実施例１１を示すブックインサート（ステッカー）の平面図である。
【図１７】本発明の実施例１１を示すブックインサート（ステッカー）の斜視図である。
【図１８】本発明の実施例１１に係るステッカー単体を示し、(Ａ)、(Ｂ)、(Ｃ)は互いに幅が異なるステッカーの平面図である。
【発明を実施するための形態】
【０１３９】
以下、本発明の実施の形態につき図面を参照する等して説明する。なお、本発明は、実施形態に限定されないことはいうまでもない。
【０１４０】
〔実施例１〕
図１は、２つの狭い(および好ましくは細長い)挿入部材（取り外し可能な連結手段）(201)、(202)に平行に整列された細長い概ね長方形の領域(本体)(200)を含む、ブックマークとして働くのに適した、ループ状バインダー(例えば、螺旋状バインダー)、ノートブックなどのためのブックインサート（ステッカー）(100)の全体図を示す。
第１の狭い挿入部材(201)は、細長いほぼ矩形の領域(200)の上部から続き(すなわち、延び)、ブックマーク(ブックインサート(100))のほぼ矩形の領域(200)と第1の挿入部材(201)との間に非常に狭い間隙(203)を形成してある。この間隙(203)の内側には螺旋状バインダーが挿入される(すなわち、受け入れられる)。
第２の狭い挿入部材(202)は、細長い長方形の領域(200)の下部から続き(すなわち、延び)、第１の挿入部材(201)によって形成される間隙と同様の非常に狭い間隙を有し、ループ状バインダーが内側に挿入される(すなわち、受け入れられる)。
【０１４１】
〔実施例２〕
図２は本発明の実施例２を示す。
実施例２において、ブックインサート（ステッカー）(100)はループ状バインダー(例えば、螺旋状バインダー)と共に使用するのに適している。
書籍の通常のブックマークとして作用する実施例１に加えて、実施例２では、ブックインサート(100)の細長いほぼ矩形の領域(200)の４つの角部の各々に隣接して(そのすぐ内側に)、複数の斜めのスリット(204)を備える。これらのスリットはブックインサート(100)のほぼ長方形の領域(200)に一時的に貼り付けられる紙片(205)の挿入点として作用し、重要な点またはメモを書き、後に想起されるか、または単にポイントを備忘録または毎日の計画等として表にする。
【０１４２】
〔実施例３〕
図３は、本発明の実施例３を示す。
実施例３では、ブックインサート（ステッカー）(100)は複数の分割片(206)を含む。
複数のクリップ(分割片)(206)は、互いに異なる色で重なり合っており、ユーザーが分割片(好ましくはすべての分割片)（206）を個別に見ることができるように、互いに異なる幅を備えて、下に重なるものほど幅広くなっている。これにより、ユーザーは、複数の分割片(206)を、本の異なるページのためのマーキング手段として使用することができる。
【０１４３】
好ましくは、実施例３では、分割片(206)に使用される材料が可撓性プラスチックまたは紙の薄いシートである。
分割片(206)に使用される材料が可撓性プラスチックの薄いシートである場合、可撓性プラスチックが上記したようなものであり、好ましくは可撓性プラスチックがPET、PBT、PTT、PEN、別のポリエステル(好ましくは生分解性ポリエステル)、PVC、PP、PEである。
【０１４４】
あるいは、分割片(206)が紙(様々な種類の紙、例えば、薄い紙シート、典型的には可撓性紙)でできている。より好ましくは、分割片(206)が厚紙で作られる。厚紙は可撓性であっても、または実質的に剛性であってもよいが、厚紙の厚さに応じて、多かれ少なかれ可撓性である。
図に示す例では、5つの分割片(206)を含み、これら色が変化するとともに幅が変化し、５つの分割片(206)がユーザーによって個別に見られるように(例えば、本に挿入されたとき)互いに重なる。
【０１４５】
〔実施例４〕
図４は本発明の実施例４を示す。
実施例４のブックインサート（ステッカー）（100）は、ループ状バインダー(例えば、螺旋状バインダー)のブックマークとして機能することとは別に、測定装置としても機能する。
これを達成するために、インサート(100)の細長い（ほぼ長方形の）本体(200)はその表面上に、１つの縁に沿って、または隣接して、好ましくは１つの長い縁に沿って、または隣接して印刷された定規マーキング(207)を備え、それによって、比較的短い距離を測定することができる。
好ましくは、定規マーキング(207)は、第１および第２の挿入部材が延在および／または突出する概ね矩形の本体の縁(好ましくは長い縁)に対向する(すなわち、縁から離れて面する)縁(好ましくは長い縁)に沿って、またはそれに隣接して設けられる。
【０１４６】
〔実施例５〕
図５は本発明の実施例５を示す。
実施例５のブックインサート（ステッカー）（100）は、ループ状バインダー(例えば、螺旋状バインダー)のブックマークとして機能することとは別に、測定装置である分度器(208)として機能する。
インサート(100)の細長い（ほぼ長方形の）本体(200)は、分度器(208)を設置できるように、幅および長さが実施例４のものより大であり、分度器(208)を用いて角度を測定することができる。
好ましくは、距離を測定するために、定規マーキングも分度器(208)の長手方向に沿って設けられる。
【０１４７】
〔実施例６〕
図６は本発明の実施例６を示す。
実施例６のブックインサート(ステッカー)（209)は様々な材料のためのアタッチメントとして機能する。
書籍にはブックインサート(ステッカー)（209)が挿入されており、ステッカー（209）は材料片(図に示す例では封筒)に取り付けられている。
ブックインサート(ステッカー)（209)、例えば、ノートブックなどの書籍のループ状バインダー(例えば、螺旋状バインダーまたはリング状バインダー)に材料片（好ましくは紙シート、封筒、および／またはプラスチックシート)を付着させるための粘着性本体（209’)を含む。
特に、ステッカー(209)は、粘着性の本体(209’)と、書籍のバインダーに取り外し可能に結合することができる連結手段とを含む。
【０１４８】
好ましくは、ステッカー(209)の挿入部材は細長くかつ／または狭く、粘着性本体(209’)の頂部から連続し(すなわち、延在し)、粘着性本体(209’)と挿入部材との間に狭い間隙を形成するように、粘着性本体(209’)の隣接する縁部に平行に位置合わせされる。間隙は書籍のループ状バインダー(例えば、螺旋状バインダー)の内側に挿入される。
したがって、実施例６では、ステッカー(209)の挿入部材および／または挿入部材が図１に示される本発明の実施例１の実施形態の第１の挿入部材(201)と形態、位置および配向が概ね同様であるが、実施例１とは異なり、実施例６のステッカー(209)には様々な材料片(封筒など)が取り付けられる。
【０１４９】
〔実施例７〕
図７は本発明の実施例７を示す。
実施例７は、例えばノートブックのループ状バインダー(例えば、螺旋状バインダーまたはリング状バインダー)へ、紙のシート、封筒および／またはプラスチックのシートである材料片を付着するための粘着性本体214を含むステッカー212である。
具体的には、ステッカー212が粘着性本体214と、バインダーに取り外し可能に結合することができる挿入部216(フィンガー部216)とを備える。挿入部216(フィンガー部216)は、本発明の第１の態様による着脱可能な連結手段の一部である。
【０１５０】
実施例７では、ステッカー212の細長い(かつ概ね狭い)フィンガー部216は、ステム部分218を介してステッカーの本体214の頂部から延び、ステッカーの本体214とフィンガー部216との間に狭い間隙220を形成するように、ステッカーの本体214の隣接する縁部に平行に整列され、間隙220は書籍のループ状バインダー(例えば、螺旋状バインダー)の内側に挿入される(すなわち、ループ状バインダーを受けいれる)。
実施例７のステッカー212は種々の材料(例えば、図６に示されるものと同様の封筒、および図１１に示されるような封筒、または図９および１０に示されるものと同様の紙のシート)のためのアタッチメントとして機能する。
ステッカーの本体(214)は、一方の側に接着剤を有する。
【０１５１】
〔実施例８〕
図８は本発明の実施例８を示す。
実施例８のステッカー(222)は実施例７のステッカー(212)と類似しており、粘着性本体224およびステム部分228を介して粘着性本体224に結合されたフィンガー部226を備えているが、フィンガー部（226）および間隙（230）の幅が実施例７のものと異なるサイズ（やや幅狭い）である。
【０１５２】
図９〜１１は、実施例８のステッカー(222)の好ましい使用例を示す。
図９に示す例では、２つのステッカー(222)が、取り外し可能な連結手段(フィンガー部分226)を同じ方向に向けて、ループ状バインダー234の最上部のループ234Aおよび下部の隣接する２つのループ234B、234B2の間に挿入して取り付けられ、本体224が材料片236に粘着される。
図１０に示す例では、ステッカー(222)と、これと類似しているが異なる(反対)向きのステッカー(242)を、その取り外し可能な連結手段（226,246）を互いに逆向きにしてループ状バインダー234の最上部のループ234Aおよび下部の隣接する２つのループ234B、234B1の間に挿入し、間隙（230,250）にループ234Aおよびループ234Bを受け入れて取り付ける。
図１１に示す例では、図１０に示す例と同様にステッカー(222、242)をループ状バインダー234に取り付け、材料片として封筒252を本体（224,244）に粘着してある。
【０１５３】
〔実施例９〕
図１２および図１３は実施例９を示す。
実施例９では、ステッカー(260)は、リングノートの頁をマークするための仕切りとして機能する。
ステッカー(260)の本体(262)は、細長く、かつ／または概して長方形である。第１の(上部)フィンガー部(266)は、本体(262)の上部(272)に隣接して本体(262)から突出／延在する。第２の(下側の)フィンガー部(276)は本体(262)の底部分(289)に隣接して本体(262)から突出／延在する。
【０１５４】
ステッカー(260)は、書籍のユーザーに対する使用情報を指し示す機能を有し、第１のフィンガー部(266)がバインダーの最上部ループに挿入された後、ループ結束された書籍が閉じられたときに、ステッカー(260)の最上部および／または最上部の少なくとも一部（272)が書籍の幅または上部から外側に突出する。
ステッカー(260)の上部および／または上部(272)の外側に突出する部分には、ステッカー(260)の上部(272)の周囲領域の一部または全部から、色および／またはパターンによって視覚的に区別可能な区画領域(296)が形成される。
【０１５５】
ステッカー(260)の上部および／または上部(272)の区画領域(296)は、書籍のユーザーに対して使用情報{好ましくはユーザーによって追加される書面情報；および／または好ましくはステッカー（260)によってマークされたブックまたはブックのページ(例えば、ブックインサート、ブックマーク、および／またはディバイダによって)に関連する書面情報(例えば、ブックの件数、および／または主題、コンテンツ、および／またはタイトル)などを指し示す。
本体(262)一部または全部のコーナー(より好ましくは4つのコーナーのそれぞれ)に隣接した部分および／または内側の部分に、複数の(この場合、2つの)横方向スリット(285、287)を含む。
【０１５６】
複数の横方向スリット(285、287)は、挿入ポイントとして、本体(262)上に、複数の横方向スリット（285、287)のうちの1つまたは2つを介して、用紙(264、292、300または310)を取り外し可能に収容および／または適所に保持することができる。
ステッカー(260)はブックマークとして機能し、また、用紙(264、292、300または310)にポイントまたはノートを書き込む手段としても機能する。
【０１５７】
〔実施例１０〕
図１４および図１５は、実施例１０による、リングノートの頁に印を付けるための仕切り(ステッカー)(330)(好ましくはブックインサート、ブックマークおよび／または仕切り)を示す平面図である。
ステッカー(330)の本体(332)は、細長く、かつ／または概して長方形である。第１の(上部)フィンガー部分(336)は、本体(332)の上部(342)に隣接して本体(332)から突出／延在する。第２の(下部)フィンガー部分(346)は、本体(332)の底部分(359)に隣接して本体(332)から突出／延在する。
【０１５８】
ステッカー(330)は、書籍のユーザーに対する使用情報{好ましくは書かれた情報、および／または好ましくは例えばブックインサート、ブックマーク、および／またはディバイダによってマークされたページに関連する情報(例えば、内容および／またはタイトルの主題)}を指し示す。
第１のフィンガー部(336)がバインダーの最上部ループに挿入された後、ループ綴じされた書籍が閉じられたときに、ステッカー(330)の頂部(342)の少なくとも一部が書籍（図示せず）の頂部または頂部幅から外側に突出する。
【０１５９】
ステッカー(330)(好ましくはブックインサート、ブックマーク、および／または仕切り)の上部(342)の外側に突出する部分は、ステッカー(330)の上部(342)の周囲領域の一部または全部から、視覚的に区別可能な(好ましくはマークされた)区画領域（366)を有する。
ステッカー(330)(好ましくはブックインサート、ブックマーク、および／または仕切り)の上部(342)の区画領域(366)は書籍のユーザーに対して、使用情報{好ましくはユーザーによって追加される書面情報；および／または好ましくはインサート(330)によってマークされたページに関する書面情報(例えば、主題、コンテンツ、および／またはタイトル)}を示す。
【０１６０】
ステッカー(330)（好ましくは、ブックインサート、ブックマークおよび／または仕切り）において、本体(332)の一部または全部のコーナー(より好ましくは４つのコーナーのそれぞれ)に隣接した位置および／または内側の位置に、複数の（この場合、２つの）横方向スリット(355、357)を含む。
複数の横方向スリット(355、357)は、挿入ポイントとして、ステッカー(330)の細長いおよび／またはほぼ矩形の本体(332)上に取り外し可能に取り付けることができる紙(334、362、370、380、または390)のシート（スリップ）を収容および／または適所に保持することができる。
ステッカー（ブックインサート／仕切り）(330)はブックマークとして機能し、紙(334、362、370、380、390)の添付用紙(スリップ)を介してポイントまたはメモを書き込む（ジョッティング）手段として機能し、特にメモ用紙として機能する。
【０１６１】
〔実施例１１〕
図１６〜図１８は、本発明の実施例１１を示す。
図１６および図１７に示すように、実施例１１のブックインサート／仕切り(400)は、様々な幅を有する複数の(この場合、５つの)ステッカー（仕切りおよび／またはブックインサート）(402、404、406、408、410)を備える。
複数のステッカー(402、404、406、408、410)は、互いに重なり合い、図１８に示すように、異なる幅を有する（例えば、図１８Ｃに示す仕切りは、図１８Ｂに示す仕切りよりも幅が広く、図１８Ｂに示す仕切りは図１８Ａに示す仕切りよりも幅が広い）。そして、ユーザーがステッカー(402、404、406、408、410)を個別に見ることができるように、上のものより下のものの幅が広くなっている、ブックインサート／仕切り(400)が本(図示せず)のループ状バインダーに取り付けられると、ユーザーは特に本を上からおよび／または前から見るときに、仕切り(402、404、406、408、410)の各々（全て）を個別に見ることができる。
【０１６２】
仕切り(402、404、406、408、410)の上部は、本の別のページに着脱自在に結合されるとき、リング結束ノート（図示せず）から外方（上方）に突出するので、本が閉じている場合でも、ユーザーによって見ることができる。これは、本の複数のページおよび／または複数の異なるセクションの位置を、視覚的および手動的に簡便な方法で、かつ即座に認識可能な方法でマークするように機能する、優れた、便利な複数のブックマークを提供する。
【０１６３】
複数の仕切り(402、404、406、408、410)はそれぞれ、書籍のループ状バインダーに取り付けるための、本発明の様々な態様で定義されるような第１の取り外し可能な連結手段(416)および第２の取り外し可能な連結手段(426)を有する。
【０１６４】
本明細書で使用される語、用語「ループ状バインダー」または類似の用語はページの束または重ねた紙等を緩く接合するバインディング方法（またはバインディング方法によって綴じられる）を意味するものと理解すべきであり、バインディング方法はページの一端の穴（特に、連続する穴）を通る。バインディング方法は、好ましくはループ、典型的には複数のループを含む。ループは、螺旋状（好ましくは連続螺旋状）であり得るか、またはループが別個の、個々のループであり得る。好ましくはループが何らかの方法で湾曲しており、より好ましくはループが円、リング、螺旋、直線、および／または楕円から作製され、および／または円、リング、螺旋、直線、および／または楕円の部分から作製される。例えば、典型的なマルチリング方法および／または二リングまたは三リングのバインダー（好ましくは複数の、より好ましくは二つまたは三つの開閉可能なリングを有するバインダー；および／または好ましくは開閉可能なリングバインダー）は「ループバインダー」の好ましい実施形態として含まれる。「ループバインダー」の代替および／または追加の好ましい実施形態である他の例には、櫛状バインダー、コイル状のワイヤバインダー、および／またはワイヤバインダーが含まれる。
【０１６５】
ブックマーク、ブックインサート、仕切り及び／又はステッカーは、多種多様な材料から作ることができる。非脆性および／または可撓性プラスチック（好ましくは、一般的なプラスチックであり、および／または本明細書で定義される可撓性プラスチック、好ましくはPET、PBT、PTT、PEN、別のポリエステル（好ましくは生分解性ポリエステル）、PVC、PP、PE）から作製することが特に経済的である。しかし、様々な種類の紙および／または厚紙も使用することができる。
【０１６６】
以上に、本発明の好ましい実施の形態に関して詳細に説明したが、本発明の権利範囲から逸脱することなく多くの変更及び変形が可能であることを理解されたい。
例えば、本発明の好ましい実施形態は、その使用に関して、ループ状バインダーをリング状バインダーまたは螺旋状バインダーの形態で説明したが、櫛状バインダー、ワイヤ状バインダーなどの他の形態のループ状バインダーにも適用可能であることが理解されるであろう。
【図１】
2019217765.tif 000004
【図２】
2019217765.tif 000005
【図３】
2019217765.tif 000006
【図４】
2019217765.tif 000007
【図５】
2019217765.tif 000008
【図６】
2019217765.tif 000009
【図７】
2019217765.tif 000010
【図８】
2019217765.tif 000011
【図９】
2019217765.tif 000012
【図１０】
2019217765.tif 000013
【図１１】
2019217765.tif 000014
【図１２】
2019217765.tif 000015
【図１３】
2019217765.tif 000016
【図１４】
2019217765.tif 000017
【図１５】
2019217765.tif 000018
【図１６】
2019217765.tif 000019
【図１７】
2019217765.tif 000020
【図１８】
2019217765.tif 000021